(57)【要約】  本開示は、参照信号マッピング方法および装置を提供する。本開示において、４ポートまたは８ポート参照信号パターンに基づいてＮ（１６より大きい整数）ポート参照信号パターンを取得する。例えば、Ｎポート参照信号パターンは、１８、２０、２４、２８、３２ポート参照信号パターンを含む。また、参照信号のマッピングを行う際に、当該Ｎポート参照信号パターンに基づいて、ＣＳＩ−ＲＳのマッピング先となるＲＥの位置を確定し、当該ＲＥの位置に基づいて、ＣＳＩ−ＲＳに対しリソースマッピングを行う。よって１６ポート以上のＣＳＩ−ＲＳマッピングが実現され、さらに１６ポート以上のＣＳＩ−ＲＳ伝送が実現される。【選択図】  図３
2019509688.tif 000002
【特許請求の範囲】
【請求項１】
Ｍ（Ｍ＝４、８）ポート参照信号パターンのうち複数組のＭポートＣＳＩ−ＲＳ（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）のマッピング先となるＲＥ（Ｒｅｓｏｕｒｃｅ  Ｂｌｏｃｋ）の位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定することと、
確定されたＲＥに基づいて、ＣＳＩ−ＲＳに対しリソースマッピングを行うことと、を含む参照信号マッピング方法。
【請求項２】
Ｎは、１８、２０、２４、２８または３２であり、
Ｎが２４または３２である場合に、Ｍは、４または８であり、
Ｎが１８、２０、２８である場合に、Ｍは、８である請求項１に記載の方法。
【請求項３】
Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる請求項１または２に記載の方法。
【請求項４】
Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である請求項１または２に記載の方法。
【請求項５】
Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一であり、ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である請求項４に記載の方法。
【請求項６】
１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが含まれるノーマルＣＰ（Ｃｙｃｌｉｃ  Ｐｒｅｆｉｘ）サブフレーム、または、１１個または１２個のＯＦＤＭシンボルが含まれるＤｗＰＴＳ（Ｄｏｗｎｌｉｎｋ  Ｐｉｌｏｔ  Ｔｉｍｅ  Ｓｌｏｔ）において、Ｍが４である場合、前記４ポート参照信号パターンに１０組の４ポートＣＳＩ−ＲＳを含み、
そのうち、４組のポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳ（ＤｅＭｏｄｕｌａｔｉｏｎ  Ｒｅｆｅｒｅｎｃｅ  Ｓｉｇｎａｌ）が位置するシンボルである請求項１〜５のいずれか一項に記載の方法。
【請求項７】
１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含み、
そのうち、各組の８ポートＣＳＩ−ＲＳに２つのグループＣＳＩ−ＲＳを含み、グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである請求項１〜５のいずれか一項に記載の方法。
【請求項８】
１４個のＯＦＤＭシンボルが含まれるノーマルＣサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである請求項６または７に記載の方法。
【請求項９】
１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる請求項１〜５のいずれか一項に記載の方法。
【請求項１０】
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するための確定モジュールと、
確定されたＲＥに基づいて、ＣＳＩ−ＲＳに対しリソースマッピングを行うためのマッピングモジュールと、を含む参照信号マッピング装置。
【請求項１１】
Ｎは、１８、２０、２４、２８または３２であり、
Ｎが２４または３２である場合に、Ｍは、４または８であり、
Ｎが１８、２０、２８である場合に、Ｍは、８である請求項１０に記載の装置。
【請求項１２】
Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる請求項１０または１１に記載の装置。
【請求項１３】
Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ、
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である請求項１０または１１に記載の装置。
【請求項１４】
Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一であり、ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である請求項１３に記載の装置。
【請求項１５】
１４個のＯＦＤＭシンボルが含まれるノーマルＣＰサブフレーム、または、１１個または１２個のＯＦＤＭシンボルが含まれるＤｗＰＴＳにおいて、Ｍが４である場合、前記４ポート参照信号パターンに１０組の４ポートＣＳＩ−ＲＳを含み、
そのうち、４組のポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルである請求項１０〜１４のいずれか一項に記載の装置。
【請求項１６】
１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含み、
そのうち、各組の８ポートＣＳＩ−ＲＳに２つのグループＣＳＩ−ＲＳを含み、グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである請求項１０〜１４のいずれか一項に記載の装置。
【請求項１７】
１４個のＯＦＤＭシンボルが含まれるノーマルＣサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである請求項１５または１６に記載の装置。
【請求項１８】
１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる請求項１０〜１６のいずれか一項に記載の装置。
【請求項１９】
プロセッサと、メモリとを含む参照信号マッピング装置であって、
前記プロセッサは、メモリからプログラムを読み取ることによって、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するプロセスと、
確定されたＲＥに基づいて、ＣＳＩ−ＲＳに対しリソースマッピングを行うプロセスと、を実行することに用いられ、
前記メモリは、プロセッサによる操作実行に使用されるデータを記憶することができる参照信号マッピング装置。
【請求項２０】
プロセッサと、メモリと、トランシーバとを含む基地局であって、
前記プロセッサは、メモリからプログラムを読み取ることによって、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するプロセスと、
確定されたＲＥに基づいて、ＣＳＩ−ＲＳに対しリソースマッピングを行うプロセスと、を実行することに用いられ、
前記トランシーバは、データの送受信に用いられ、
前記メモリは、プロセッサによる操作実行に使用されるデータを記憶することができる基地局。
【発明の詳細な説明】
【技術分野】
【０００１】
本願は、２０１６年３月１０日に中国特許庁に提出された中国特許出願２０１６１０１３６９０５．０の優先権を主張し、その全ての内容が援用によりここに取り込まれる。
【０００２】
本開示は、無線通信技術分野に係り、特に参照信号マッピング方法および装置に係る。
【背景技術】
【０００３】
リリース１０（Ｒｅｌ−１０）のＬＴＥ（Ｌｏｎｇ  Ｔｅｒｍ  Ｅｖｏｌｕｔｉｏｎ）システムにおいて、下りリンクに対し多種類の参照信号が定義され、主にＣ−ＲＳ（Ｃｅｌｌ−ｓｐｅｃｉｆｉｃ  Ｒｅｆｅｒｅｎｃｅ  Ｓｉｇｎａｌ）、ＵＥ−ＲＳ（ＵＥ−ｓｐｅｃｉｆｉｃ  ｒｅｆｅｒｅｎｃｅ  ｓｉｇｎａｌ；ＤＭ−ＲＳ（Ｄｅｍｏｄｕｌａｔｉｏｎ−Ｒｅｆｅｒｅｎｃｅ  Ｓｉｇｎａｌ）とも言う）および下りリンクチャネルの測定、推定に用いられるＣＳＩ−ＲＳ（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）を含む。
【０００４】
図１ａ、図１ｂ、図１ｃには、それぞれ、ＬＴＥシステムにおいてＣＳＩ−ＲＳをサポートする参照信号パターンが示されている。当該参照信号パターンは、各参照信号のリソース位置を示し、すなわちＰＲＢ（Ｐｈｙｓｉｃａｌ  Ｒｅｓｏｕｒｃｅ  Ｂｌｏｃｋ）における各参照信号のマッピング先となるＲＥ（Ｒｅｓｏｕｒｃｅ  Ｅｌｅｍｅｎｔ）の位置を示す。
【０００５】
下りリンクアンテナポート毎に１つの参照信号が伝送される。２ポート、４ポートまたは８ポートのＣＳＩ−ＲＳ配置が可能であり、１つのＰＲＢには、２０組の２ポートＣＳＩ−ＲＳ（図１ａに示すように、１つの２ポートＣＳＩ−ＲＳは、１組の標識０〜１のＲＥにマッピングされる。）、または１０組の４ポートＣＳＩ−ＲＳ（図１ｂに示すように、１つの４ポートＣＳＩ−ＲＳは、１組の標識０〜３のＲＥにマッピングされる。）、または５組の８ポートＣＳＩ−ＲＳ（図１ｃに示すように、１つの８ポートＣＳＩ−ＲＳは、１組の標識０〜７のＲＥにマッピングされる。）を含む。図１ａ、図１ｂ、図１ｃの四角枠内の数字は、ポート番号を示す。ポートは、２個毎に、２個の隣接ＲＥで符号分割方式で多重化される。例えば図１ａにおいて、ポート０とポート１は、（１  １）と（１  −１）によって、１組の標識０〜１の２個のＲＥで多重化される。このような多重化方式は、ＯＣＣ＝２として示される。
【０００６】
これに基づき、Ｒｅｌ−１３において、ポートアグリゲーション方式で生成される１２ポートＣＳＩ−ＲＳおよび１６ポートＣＳＩ−ＲＳが導入されている。また、より好適なパワー利用を得るために、Ｒｅｌ−１０のＯＣＣ＝２に加え、ＯＣＣ＝４も導入されている。このように、１２ポートＣＳＩ−ＲＳは、３個の４ポートＣＳＩ−ＲＳ（ＯＣＣ＝２またはＯＣＣ＝４）のアグリゲーションで得られる。図２ａに示すように、標識Ａ、Ｂ、Ｃの３個の４ポートＣＳＩ−ＲＳは、１個の１２ポートＣＳＩ−ＲＳを構成する。１６ポートＣＳＩ−ＲＳは、２個の８ポートＣＳＩ−ＲＳ（ＯＣＣ＝２またはＯＣＣ＝４）のアグリゲーションで得られる。図２ｂに示すように、標識Ａ、Ｂの１個の８ポートＣＳＩ−ＲＳと標識Ｃ、Ｄの１個の８ポートＣＳＩ−ＲＳとは、１個の１６ポートＣＳＩ−ＲＳを構成する。図２ａと図２ｂの同一アルファベット部分でＯＣＣ＝４のグループを構成する。グループ毎にＴＤＭ（Ｔｉｍｅ  Ｄｉｖｉｓｉｏｎ  Ｍｕｌｔｉｐｌｅｘｉｎｇ）とＦＤＭ（Ｆｒｅｑｕｅｎｃｙ  Ｄｉｖｉｓｉｏｎ  Ｍｕｌｔｉｐｌｅｘｉｎｇ）の組み合わせ方式が用いられ、４個のポートのＣＳＩ−ＲＳが各グループの４個のＲＥで多重化される。
【０００７】
現在、ＬＴＥシステムにおいて、前述以上のアンテナポートのＣＳＩ−ＲＳがサポートされない。例えば、１６ポート以上のＣＳＩ−ＲＳ伝送がサポートされない。
【発明の概要】
【発明が解決しようとする課題】
【０００８】
本開示の実施例は、１６ポート以上のＣＳＩ−ＲＳマッピングを実現して１６ポート以上のＣＳＩ−ＲＳ伝送を実現するために、参照信号マッピング方法および装置を提供する。
【課題を解決するための手段】
【０００９】
本開示の実施例による参照信号マッピング方法は、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定することと、
確定されたＲＥに基づいて、ＣＳＩ−ＲＳに対しリソースマッピングを行うことと、を含む。
【００１０】
選択可能に、Ｎは、１８、２０、２４、２８または３２であり、
Ｎが２４または３２である場合に、Ｍは、４または８であり、
Ｎが１８、２０、２８である場合に、Ｍは、８である。
【００１１】
選択可能に、Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる。
【００１２】
選択可能に、Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ、
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である。
【００１３】
ここで、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一であり、ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である。
【００１４】
選択可能に、１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが含まれるノーマルＣＰ（Ｃｙｃｌｉｃ  Ｐｒｅｆｉｘ）サブフレーム、または、１１個または１２個のＯＦＤＭシンボルが含まれるＤｗＰＴＳ（Ｄｏｗｎｌｉｎｋ  Ｐｉｌｏｔ  Ｔｉｍｅ  Ｓｌｏｔ）において、Ｍが４である場合、前記４ポート参照信号パターンに１０組の４ポートＣＳＩ−ＲＳを含み、
そのうち、４組のポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳ（ＤｅＭｏｄｕｌａｔｉｏｎ  Ｒｅｆｅｒｅｎｃｅ  Ｓｉｇｎａｌ）が位置するシンボルである。
【００１５】
選択可能に、１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含む。そのうち、各組の８ポートＣＳＩ−ＲＳに２つのグループＣＳＩ−ＲＳを含み、
グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである。
【００１６】
ここで、１４個のＯＦＤＭシンボルが含まれるノーマルＣサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである。
【００１７】
選択可能に、１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる。
【００１８】
本開示の実施例による参照信号マッピング装置は、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するための確定モジュールと、
確定されたＲＥに基づいて、ＣＳＩ−ＲＳに対しリソースマッピングを行うためのマッピングモジュールと、を含む。
【００１９】
選択可能に、Ｎは、１８、２０、２４、２８または３２であり、
Ｎが２４または３２である場合に、Ｍは、４または８であり、
Ｎが１８、２０、２８である場合に、Ｍは、８である。
【００２０】
選択可能に、Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる。
【００２１】
選択可能に、Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ、
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である。
【００２２】
ここで、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一である。ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である。
【００２３】
選択可能に、１４個のＯＦＤＭシンボルが含まれるノーマルＣＰサブフレーム、または、１１個または１２個のＯＦＤＭシンボルが含まれるＤｗＰＴＳにおいて、Ｍが４である場合、前記４ポート参照信号パターンに１０組の４ポートＣＳＩ−ＲＳを含み、
そのうち、４組のポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルである。
【００２４】
選択可能に、１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含み、
そのうち、各組の８ポートＣＳＩ−ＲＳに２つのグループＣＳＩ−ＲＳを含み、グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである。
【００２５】
ここで、１４個のＯＦＤＭシンボルが含まれるノーマルＣサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである。
【００２６】
選択可能に、１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる。
【００２７】
本開示の実施例による参照信号マッピング装置は、プロセッサと、メモリとを含み、
前記プロセッサは、メモリからプログラムを読み取ることによって、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するプロセスと、
確定されたＲＥに基づいて、ＣＳＩ−ＲＳに対しリソースマッピングを行うプロセスと、を実行することに用いられ、
前記メモリは、プロセッサによる操作実行に使用されるデータを記憶することができる。
【００２８】
本開示の実施例による基地局は、プロセッサと、メモリと、トランシーバと、バスインタフェースを含み、
前記プロセッサは、メモリからプログラムを読み取ることによって、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するプロセスと、
確定されたＲＥに基づいて、ＣＳＩ−ＲＳに対しリソースマッピングを行うプロセスと、を実行することに用いられる。
【発明の効果】
【００２９】
本開示の上記実施例において、４ポートまたは８ポート参照信号パターンに基づいてＮポート参照信号パターンを取得し、参照信号のマッピングを行う際に、当該Ｎポート参照信号パターンに基づいて、ＣＳＩ−ＲＳのマッピング先となるＲＥの位置を確定し、当該ＲＥの位置に基づいて、ＣＳＩ−ＲＳに対しリソースマッピングを行う。Ｎが１６より大きい整数であるため、１６ポート以上のＣＳＩ−ＲＳマッピングが実現され、さらに１６ポート以上のＣＳＩ−ＲＳ伝送が実現される。
【図面の簡単な説明】
【００３０】
本願の実施例の技術手段をより明確に説明するために、以下、実施例の記載に必要される図面を簡単に紹介する。明らかに、以下の記載に関する図面は、単に本願に記載されている実施例の一部である。当業者にとって、創造性のある作業をせずにこれらの図面から他の図面を得ることもできる。以下の図面は、本願の主旨を示すことに重点が置かれており、入念に実際サイズに従って等比例に拡大または縮小して作製されたものではない。
【００３１】
【図１ａ】それぞれ従来技術における２ポート、４ポート、８ポート参照信号パターンである。
【図１ｂ】それぞれ従来技術における２ポート、４ポート、８ポート参照信号パターンである。
【図１ｃ】それぞれ従来技術における２ポート、４ポート、８ポート参照信号パターンである。
【図２ａ】それぞれ従来技術のＬＴＥ  Ｒｅｌ−１３における１２ポート、１６ポート参照信号パターンである。
【図２ｂ】それぞれ従来技術のＬＴＥ  Ｒｅｌ−１３における１２ポート、１６ポート参照信号パターンである。
【図３】本開示の実施例による参照信号マッピングのフローチャートである。
【図４ａ】それぞれ本開示の実施例における方法１の３２ポート参照信号パターンである。
【図４ｂ】それぞれ本開示の実施例における方法１の３２ポート参照信号パターンである。
【図４ｃ】それぞれ本開示の実施例における方法１の３２ポート参照信号パターンである。
【図４ｄ】それぞれ本開示の実施例における方法１の３２ポート参照信号パターンである。
【図５ａ】それぞれ本開示の実施例における方法２の３２ポート参照信号パターンである。
【図５ｂ】それぞれ本開示の実施例における方法２の３２ポート参照信号パターンである。
【図５ｃ】それぞれ本開示の実施例における方法２の３２ポート参照信号パターンである。
【図５ｄ】それぞれ本開示の実施例における方法２の３２ポート参照信号パターンである。
【図６ａ】それぞれ本開示の実施例における方法３の３２ポート参照信号パターンである。
【図６ｂ】それぞれ本開示の実施例における方法３の３２ポート参照信号パターンである。
【図６ｃ】それぞれ本開示の実施例における方法３の３２ポート参照信号パターンである。
【図６ｄ】それぞれ本開示の実施例における方法３の３２ポート参照信号パターンである。
【図７ａ】それぞれ本開示の実施例における方法１の２４ポート参照信号パターンである。
【図７ｂ】それぞれ本開示の実施例における方法１の２４ポート参照信号パターンである。
【図７ｃ】それぞれ本開示の実施例における方法１の２４ポート参照信号パターンである。
【図７ｄ】それぞれ本開示の実施例における方法１の２４ポート参照信号パターンである。
【図８ａ】それぞれ本開示の実施例における方法２の２４ポート参照信号パターンである。
【図８ｂ】それぞれ本開示の実施例における方法２の２４ポート参照信号パターンである。
【図８ｃ】それぞれ本開示の実施例における方法２の２４ポート参照信号パターンである。
【図８ｄ】それぞれ本開示の実施例における方法２の２４ポート参照信号パターンである。
【図９ａ】それぞれ本開示の実施例における方法３の２４ポート参照信号パターンである。
【図９ｂ】それぞれ本開示の実施例における方法３の２４ポート参照信号パターンである。
【図９ｃ】それぞれ本開示の実施例における方法３の２４ポート参照信号パターンである。
【図９ｄ】それぞれ本開示の実施例における方法３の２４ポート参照信号パターンである。
【図１０ａ】それぞれ本開示の実施例における１８ポート参照信号パターンである。
【図１０ｂ】それぞれ本開示の実施例における１８ポート参照信号パターンである。
【図１０ｃ】それぞれ本開示の実施例における１８ポート参照信号パターンである。
【図１０ｄ】それぞれ本開示の実施例における１８ポート参照信号パターンである。
【図１１ａ】それぞれ本開示の実施例における２０ポート参照信号パターンである。
【図１１ｂ】それぞれ本開示の実施例における２０ポート参照信号パターンである。
【図１１ｃ】それぞれ本開示の実施例における２０ポート参照信号パターンである。
【図１１ｄ】それぞれ本開示の実施例における２０ポート参照信号パターンである。
【図１２ａ】それぞれ本開示の実施例における２８ポート参照信号パターンである。
【図１２ｂ】それぞれ本開示の実施例における２８ポート参照信号パターンである。
【図１２ｃ】それぞれ本開示の実施例における２８ポート参照信号パターンである。
【図１２ｄ】それぞれ本開示の実施例における２８ポート参照信号パターンである。
【図１３】本開示の実施例による参照信号マッピング装置の構造図である。
【図１４】本開示の実施例による基地局の構造図である。
【発明を実施するための形態】
【００３２】
以下、本開示の一部実施例の図面を参照しながら、本開示の一部実施例の技術手段を明確且つ完全に記載する。明らかに、記載されている実施例は、単に本開示の実施例の一部であり、全てではない。本開示の実施例に基づき、当業者が創造性のある作業をせずに為しえるほかの実施例のすべては、いずれも本開示の保護範囲に属するものである。
【００３３】
現在のＬＴＥ標準では、１、２、４、８、１２、１６ポートＣＳＩ−ＲＳ伝送がサポートされるものの、１８、２０、２４、２８、３２など、１６ポート以上のＣＳＩ−ＲＳ伝送がサポートされない。当該問題に対し、本開示の実施例は、１８、２０、２４、２８、３２など１６ポート以上のＣＳＩ−ＲＳ伝送をサポートすることができる参照信号マッピング方法および装置を提案する。
【００３４】
以下、明細書の図面を参照しながら本開示の実施例を詳細に記載する。
【００３５】
下りリンクアンテナポート毎に１つの参照信号が伝送される。アンテナポートとは、伝送用の論理ポートであり、１つまたは複数の実際の物理アンテナに対応する。アンテナポートは、受信機の角度から定義されるものであり、すなわち空間上のリソース区分が受信機にとって必要であれば、複数のアンテナポートに対する定義が必要になる。端末にとって、受信した１つのアンテナポートに対応する参照信号は、複数の物理アンテナの伝送信号から複合される可能性があるにもかかわらず、当該参照信号によって、対応するアンテナポートが定義されることになる。
【００３６】
図３は、本開示の実施例による参照信号マッピングのフローチャートである。当該フローは、基地局によって実行される。図示のように、当該フローは、下記のステップ３０１とステップ３０２を含む。
【００３７】
ステップ３０１において、Ｎ（１６より大きい整数）ポート参照信号パターンに基づいて、ＣＳＩ−ＲＳのマッピング先となるＲＥを確定する。ここで、前記Ｎポート参照信号パターンのうちの１つのＮポートＣＳＩ−ＲＳのマッピング先となるＲＥの位置は、Ｍ（Ｍ＝４、８）ポート参照信号パターンのうち複数組のＭポートＣＳＩ−ＲＳのマッピング先となるＲＥの位置から確定される。
【００３８】
ステップ３０２において、確定されたＲＥに基づいて、ＣＳＩ−ＲＳに対しリソースマッピングを行う。
【００３９】
より具体的に、Ｎは、１８、２０、２４、２８または３２である。ここで、Ｎが２４または３２である場合に、Ｍは、４または８であり、Ｎが１８、２０、２８である場合に、Ｍは、８である。
【００４０】
上述のフローによって、基地局のアンテナポート数がＮである場合、基地局は、端末のＮポートＣＳＩ−ＲＳの配置ができる。端末は、配置されたＣＳＩ−ＲＳポートでチャネル測定をしてチャネル情報をフィードバックする。
【００４１】
下記のことが分かる。本開示の上記実施例において、４ポートまたは８ポート参照信号パターンに基づいてＮ（Ｎ＝１８、２０、２４、２８、３２）ポート参照信号パターンを取得し、参照信号のマッピングに際し、当該Ｎポート参照信号パターンに基づいて、ＣＳＩ−ＲＳのマッピング先となるＲＥの位置を確定し、当該ＲＥの位置に基づいて、ＣＳＩ−ＲＳに対しリソースマッピングを行う。よって、ＮポートのＣＳＩ−ＲＳマッピングが実現され、さらにＮポートのＣＳＩ−ＲＳ伝送が実現される。
【００４２】
以下、Ｎ＝１８、２０、２４、２８、３２を例とし、以上のフローに基づき、４ポート参照信号パターンから、ＮポートＣＳＩ−ＲＳのマッピング先となるＲＥの位置を確定する。具体的に以下複数のケースを含む。
【００４３】
ケース１−１：２４ポートＣＳＩ−ＲＳマッピングまたは伝送の場合、２４ポート参照信号パターンのうち１つの２４ポートＣＳＩ−ＲＳのマッピング先となるＲＥの位置と、４ポート参照信号パターンのうち６組の４ポートＣＳＩ−ＲＳのマッピング先となるＲＥの位置とは同一であり、かつ各組の４ポートＣＳＩ−ＲＳに対し、４ビットのＯＣＣ（Ｏｒｔｈｏｇｏｎａｌ  Ｃｏｖｅｒ  Ｃｏｄｅ）の４個のコードワードを用いた多重化が行われる（すなわちＯＣＣ＝４）。ここで、各組の４ポートＣＳＩ−ＲＳは、４個のＲＥにマッピングされる。
【００４４】
ケース１−２：３２ポートＣＳＩ−ＲＳマッピングまたは伝送の場合、３２ポート参照信号パターンのうち１つの３２ポートＣＳＩ−ＲＳのマッピング先となるＲＥの位置と、４ポート参照信号パターンのうち８組の４ポートＣＳＩ−ＲＳのマッピング先となるＲＥの位置とは同一であり、かつ各組の４ポートＣＳＩ−ＲＳに対し、４ビットの直交拡散符号の４個のコードワードを用いた多重化が行われる（すなわちＯＣＣ＝４）。ここで、各組の４ポートＣＳＩ−ＲＳは、４個のＲＥにマッピングされる。
【００４５】
上記ケース１−１またはケース１−２において、１つのサブフレームに含まれるシンボル数によっては、４ポート参照信号パターンのうちＣＳＩ−ＲＳのマッピング先となるＲＥが位置するシンボルの位置も異なる。具体的に以下のケースを含む。
【００４６】
１４個のＯＦＤＭシンボルが含まれるノーマルＣＰサブフレーム、または、１１個または１２個のＯＦＤＭシンボルが含まれるＤｗＰＴＳにおいて、用いられる４ポート参照信号パターンに１０組の４ポートＣＳＩ−ＲＳを含む。そのうち、４組のポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされる。ここで、第１〜４ＯＦＤＭシンボルは、ＤＭＲＳが位置するシンボルである。
【００４７】
ここで、１４個のＯＦＤＭシンボルが含まれるノーマルＣＰサブフレーム（例えばノーマルＣＰ（Ｃｙｃｌｉｃ  Ｐｒｅｆｉｘ）が用いられるサブフレーム）において、前記第１〜４ＯＦＤＭシンボルは、それぞれ、１つのサブフレームの第１個のスロットのうち第６〜７個のＯＦＤＭシンボル（すなわちｓｌｏｔ  ０のうちのＯＦＤＭシンボル５とＯＦＤＭシンボル６）および当該サブフレームの第２個のスロットのうち第６〜７個のＯＦＤＭシンボル（すなわちｓｌｏｔ  １のうちのＯＦＤＭシンボル５とＯＦＤＭシンボル６）であり、前記第５〜６ＯＦＤＭシンボルは、それぞれ、当該サブフレームの第２個のスロットのうち第３〜４個のＯＦＤＭシンボル（すなわちｓｌｏｔ  １のうちのＯＦＤＭシンボル２とＯＦＤＭシンボル３）である。
【００４８】
１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボル（すなわちｓｌｏｔ  ０のうちのＯＦＤＭシンボル２とＯＦＤＭシンボル３）および当該サブフレームの第２個のスロットのうち第３〜４個のＯＦＤＭシンボル（すなわちｓｌｏｔ  １のうちのＯＦＤＭシンボル２とＯＦＤＭシンボル３）であり、前記第５〜６ＯＦＤＭシンボルは、それぞれ、当該サブフレームの第１個のスロットのうち第６〜７個のＯＦＤＭシンボル（すなわちｓｌｏｔ  ０のうちのＯＦＤＭシンボル５とＯＦＤＭシンボル６）である。
【００４９】
１つのサブフレームに１２個のＯＦＤＭシンボルを含む（例えば拡張ＣＰが用いられるサブフレーム）場合、上記ケース１−１とケース１−２に用いられる４ポート参照信号パターンのうち各組の４ポートＣＳＩ−ＲＳは、時分割多重化と周波数分割多重化の組み合わせ方式で１つのサブフレームの第１個のスロットのうち第５〜６個のＯＦＤＭシンボル（すなわちｓｌｏｔ  ０のうちのＯＦＤＭシンボル４とＯＦＤＭシンボル５）および当該サブフレームの第２個のスロットのうち第５〜６個のＯＦＤＭシンボル（すなわちｓｌｏｔ  １のうちのＯＦＤＭシンボル４とＯＦＤＭシンボル５）にマッピングされる。
【００５０】
以上の記載によれば、本開示の実施例は、Ｎポート参照信号パターンの確定根拠として、４ポート参照信号パターンを新たに定義している。例えば、１つのサブフレームに１４個のＯＦＤＭシンボルが含まれる場合、新たに定義した４ポート参照信号パターンにおいて、４組の４ポートＣＳＩ−ＲＳは、それぞれ４個のＯＦＤＭシンボルを占用する。当該４ポートＣＳＩ−ＲＳは、時分割多重化方式でサブフレームの第１スロットのうちのＯＦＤＭ５、ＯＦＤＭシンボル６および当該サブフレームの第２スロットのＯＦＤＭシンボル５、ＯＦＤＭシンボル６にマッピングされる。残り４組の４ポートＣＳＩ−ＲＳは、それぞれ２個のＯＦＤＭシンボルを占用する。当該４ポートＣＳＩ−ＲＳは、時分割多重化と周波数分割多重化の組み合わせ方式でサブフレームの第２スロットのうちＯＦＤＭシンボル２、ＯＦＤＭシンボル３にマッピングされる。
【００５１】
以上のフローに基づいて、８ポート参照信号パターンからＮポートＣＳＩ−ＲＳのマッピング先となるＲＥの位置を確定する。具体的に以下複数のケースを含む。
【００５２】
ケース２−１：１８ポートＣＳＩ−ＲＳマッピングまたは伝送の場合、１８ポート参照信号パターンのうち１つの１８ポートＣＳＩ−ＲＳのマッピング先となるＲＥの位置と、８ポート参照信号パターンのうち３組の８ポートＣＳＩ−ＲＳのマッピング先となるＲＥの位置とは同一であり、かつ１８ポートＣＳＩ−ＲＳのうち各組の６ポートに対し、８ビットの直交拡散符号の８個のコードワードのうちの６個のコードワードを用いた多重化が行われる（すなわちＯＣＣ＝８）。ここで、各組の６ポートＣＳＩ−ＲＳは、８個のＲＥにマッピングされる。
【００５３】
ケース２−１の１つの代替案において、１８ポートＣＳＩ−ＲＳのマッピング先となるＲＥの位置と、８ポート参照信号パターンのうち３組の８ポートＣＳＩ−ＲＳのマッピング先となるＲＥの位置のうち１８個のＲＥの位置とは同一であり、かつ１８ポートＣＳＩ−ＲＳのうち６ポート毎に６ビットの直交拡散符号を用いた多重化が行われる（すなわちＯＣＣ＝６）。ここで、各組の６ポートＣＳＩ−ＲＳは、６個のＲＥにマッピングされる。
【００５４】
ケース２−２：２０ポートＣＳＩ−ＲＳマッピングまたは伝送の場合、２０ポート参照信号パターンのうち１つの２０ポートＣＳＩ−ＲＳのマッピング先となるＲＥの位置と、８ポート参照信号パターンのうち４組の８ポートＣＳＩ−ＲＳのマッピング先となるＲＥの位置とは同一であり、かつ２０ポートＣＳＩ−ＲＳのうち各組の５ポートに対し、８ビットの直交拡散符号の８個のコードワードのうちの５個のコードワードを用いた多重化が行われる（すなわちＯＣＣ＝８）。ここで、各組の５ポートＣＳＩ−ＲＳは、８個のＲＥにマッピングされる。
【００５５】
ケース２−２の１つの代替案において、２０ポートＣＳＩ−ＲＳのマッピング先となるＲＥの位置と、８ポート参照信号パターンのうち４組の８ポートＣＳＩ−ＲＳのマッピング先となるＲＥの位置のうち２０個のＲＥの位置とは同一であり、かつ２０ポートＣＳＩ−ＲＳのうち５ポート毎に５ビットの直交拡散符号を用いた多重化が行われる（すなわちＯＣＣ＝５）。ここで、各組の５ポートＣＳＩ−ＲＳは、５個のＲＥにマッピングされる。
【００５６】
ケース２−３：２４ポートＣＳＩ−ＲＳマッピングまたは伝送の場合、２４ポート参照信号パターンのうち１つの２４ポートＣＳＩ−ＲＳのマッピング先となるＲＥの位置と、８ポート参照信号パターンのうち３組の８ポートＣＳＩ−ＲＳのマッピング先となるＲＥの位置とは同一である。各組の８ポートＣＳＩ−ＲＳは、８ビットの直交拡散符号の８個のコードワードのうちの８個のコードワードを用いた多重化が行われてもよい（すなわちＯＣＣ＝８）。各組の８ポートＣＳＩ−ＲＳのうちの２つのグループＣＳＩ−ＲＳは、それぞれ４ビットの直交拡散符号の４個のコードワードを用いた多重化が行われてもよい（すなわちＯＣＣ＝４）。ここで、一方のグループＣＳＩ−ＲＳは、４個のポートに対応するＲＥにマッピングされる。ここで、各組の８ポートＣＳＩ−ＲＳは、８個のＲＥにマッピングされる。
【００５７】
ケース２−４：２８ポートＣＳＩ−ＲＳマッピングまたは伝送の場合、２８ポート参照信号パターンのうち１つの２８ポートＣＳＩ−ＲＳのマッピング先となるＲＥの位置と、８ポート参照信号パターンのうち４組の８ポートＣＳＩ−ＲＳのマッピング先となるＲＥの位置とは同一であり、かつ２８ポートＣＳＩ−ＲＳのうちの各組の７個のポートは、８ビットの直交拡散符号の８個のコードワードのうちの７個のコードワードを用いた多重化が行われる（すなわちＯＣＣ＝８）。ここで、各組の７ポートＣＳＩ−ＲＳは、８個のＲＥにマッピングされる。
【００５８】
ケース２−４の１つの代替案において、２８ポートＣＳＩ−ＲＳのマッピング先となるＲＥの位置と、８ポート参照信号パターンのうち４組の８ポートＣＳＩ−ＲＳのマッピング先となるＲＥの位置のうち２８個のＲＥの位置とは同一であり、かつ２８ポートＣＳＩ−ＲＳのうちの各組の７個のポートは、７ビットの直交拡散符号を用いた多重化が行われる（すなわちＯＣＣ＝７）。ここで、各組の７ポートＣＳＩ−ＲＳは、７個のＲＥにマッピングされる。
【００５９】
ケース２−５：３２ポートＣＳＩ−ＲＳマッピングまたは伝送の場合、３２ポート参照信号パターンのうち１つの３２ポートＣＳＩ−ＲＳのマッピング先となるＲＥの位置と、８ポート参照信号パターンのうち４組の８ポートＣＳＩ−ＲＳのマッピング先となるＲＥの位置とは、同一である。各組の８ポートＣＳＩ−ＲＳは、８ビットの直交拡散符号の８個のコードワードのうちの８個のコードワードを用いた多重化が行われてもよい（すなわちＯＣＣ＝８）。各組の８ポートＣＳＩ−ＲＳのうちの２つのグループＣＳＩ−ＲＳは、それぞれ４ビットの直交拡散符号の４個のコードワードを用いた多重化が行われてもよい（すなわちＯＣＣ＝４）。ここで、一方のグループＣＳＩ−ＲＳは、４個のポートに対応するＲＥにマッピングされる。ここで、各組の８ポートＣＳＩ−ＲＳは、８個のＲＥにマッピングされる。
【００６０】
上述のケース２−１〜２−５において、１つのサブフレームに含まれるシンボル数によっては、８ポート参照信号パターンのうちＣＳＩ−ＲＳのマッピング先となるＲＥが位置するシンボルの位置も異なる。具体的に以下のケースを含む。
【００６１】
１つのサブフレームに１４または１１個のＯＦＤＭシンボルが含まれる場合、用いられる８ポート参照信号パターンに５組の８ポートＣＳＩ−ＲＳを含み、具体的に以下２種類の形態を含む。
形態１：各組の８ポートＣＳＩ−ＲＳに２つのグループＣＳＩ−ＲＳを含む。グループＣＳＩ−ＲＳ毎に４ビットの直交拡散符号の４個のコードワードを用いた多重化が行われる。そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされる。ここで、第１〜４ＯＦＤＭシンボルは、ＤＭＲＳが位置するシンボルである。
形態２：各組の８ポートＣＳＩ−ＲＳは、８ビットの直交拡散符号を用いた多重化が行われる。１つの８ポートＣＳＩ−ＲＳは、時分割多重化と周波数分割多重化の組み合わせ方式で第１〜４ＯＦＤＭシンボルの４個のＲＥ、および、第５〜６ＯＦＤＭシンボルの４個のＲＥにマッピングされる。ここで、第１〜４ＯＦＤＭシンボルは、ＤＭＲＳが位置するシンボルである。
【００６２】
ここで、１４個のＯＦＤＭシンボルが含まれるノーマルＣＰサブフレームにおいて、前記第１〜４ＯＦＤＭシンボルは、それぞれ、１つのサブフレームの第１個のスロットのうち第６〜７個のＯＦＤＭシンボル（すなわちｓｌｏｔ  ０のうちのＯＦＤＭシンボル５とＯＦＤＭシンボル６）および当該サブフレームの第２個のスロットのうち第６〜７個のＯＦＤＭシンボル（すなわちｓｌｏｔ  １のうちのＯＦＤＭシンボル５とＯＦＤＭシンボル６）であり、前記第５〜６ＯＦＤＭシンボルは、それぞれ、当該サブフレームの第２個のスロットのうち第３〜４個のＯＦＤＭシンボル（すなわちｓｌｏｔ  １のうちのＯＦＤＭシンボル２とＯＦＤＭシンボル３）である。
【００６３】
１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボル（すなわちｓｌｏｔ  ０のうちのＯＦＤＭシンボル２とＯＦＤＭシンボル３）および当該サブフレームの第２個のスロットのうち第３〜４個のＯＦＤＭシンボル（すなわちｓｌｏｔ  １のうちのＯＦＤＭシンボル２とＯＦＤＭシンボル３）であり、前記第５〜６ＯＦＤＭシンボルは、それぞれ、当該サブフレームの第１個のスロットのうち第６〜７個のＯＦＤＭシンボル（すなわちｓｌｏｔ  ０のうちのＯＦＤＭシンボル５とＯＦＤＭシンボル６）である。
【００６４】
１２個のＯＦＤＭシンボルを含む１つの拡張ＣＰサブフレームにおいて、上記ケース２−１とケース２−５に用いられる８ポート参照信号パターンのうち各組の８ポートＣＳＩ−ＲＳは、時分割多重化と周波数分割多重化の組み合わせ方式で１つのサブフレームの第１個のスロットのうち第５〜６個のＯＦＤＭシンボル（すなわちｓｌｏｔ  ０のうちのＯＦＤＭシンボル４とＯＦＤＭシンボル５）および当該サブフレームの第２個のスロットのうち第５〜６個のＯＦＤＭシンボル（すなわちｓｌｏｔ  １のうちのＯＦＤＭシンボル４とＯＦＤＭシンボル５）にマッピングされる。
【００６５】
以上の記載によれば、本開示の実施例は、Ｎポート参照信号パターンの確定根拠として、８ポート参照信号パターンを新たに定義している。例えば、１つのサブフレームに１４個のＯＦＤＭシンボルが含まれる場合、新たに定義した８ポート参照信号パターンにおいて、各組の８ポートＣＳＩ−ＲＳは、それぞれ６個のＯＦＤＭシンボルを占用する。そのうち、４個のポートは、時分割多重化方式でサブフレームの第１スロットのうちのＯＦＤＭ５、ＯＦＤＭシンボル６および当該サブフレームの第２スロットのＯＦＤＭシンボル５、ＯＦＤＭシンボル６にマッピングされる。残り４個のポートは、時分割多重化と周波数分割多重化の組み合わせ方式で当該サブフレームの第２スロットのうちＯＦＤＭシンボル２、ＯＦＤＭシンボル３にマッピングされる。
【００６６】
３２ポートＣＳＩ−ＲＳの場合、直接図１ａ、図１ｂまたは図１ｃのＯＣＣ＝２のポートを用いてアグリゲーションを行い、例えば１６組の２ポートＣＳＩ−ＲＳアグリゲーション、８組の４ポートＣＳＩ−ＲＳアグリゲーションまたは４組の８ポートＣＳＩ−ＲＳアグリゲーションを採用すると、各ポートのパワーが充分に利用できず、パイロットのパワーがデータパワーの四分の一に留まる。直接図２のＯＣＣ＝４のポートを用いてアグリゲーションを行い、例えば８組の４ポートアグリゲーションまたは４組の８ポートアグリゲーションを採用すると、ＯＦＤＭシンボル５、ＯＦＤＭシンボル６は、ＯＦＤＭシンボル２、ＯＦＤＭシンボル３とはパイロットパワーが一致しない（ＯＦＤＭシンボル５、ＯＦＤＭシンボル６のパイロットパワーがデータパワーの四分の一であり、ＯＦＤＭシンボル２、ＯＦＤＭシンボル３のパイロットパワーがデータパワーの二分の一である。）ことになる。いずれもパイロットのカバーに影響を与える。類似するように１８、２０、２４、２８ポートパイロットについても、同様にパイロットパワーが一致しない問題が存在する。本開示の実施例の上述した１つの選択可能な案において、８ビット直交拡散符号（すなわちＯＣＣ＝８）を採用してアグリゲーションを行い、別途にパイロットリソースの追加がなくかつパイロット密度の低下がない条件で、ＣＳＩ−ＲＳの同一パワー送信が実現され、しかもＯＣＣ＝８に拡張される場合、パイロットのフルパワー利用が実現される。
【００６７】
以下、３２ポートＣＳＩ−ＲＳ、２４ポートＣＳＩ−ＲＳ、１８ポートＣＳＩ−ＲＳ、２０ポートＣＳＩ−ＲＳ、２８ポートＣＳＩ−ＲＳをそれぞれ例として記載する。
【００６８】
（１）３２ポート参照信号パターン
方法１
方法１の３２ポート参照信号パターンにおいて、１組の３２ポートＣＳＩ−ＲＳのマッピング先となる３２個のＲＥの位置と、４ポート参照信号パターンのうち８組の４ポートＣＳＩ−ＲＳのマッピング先となる３２個のＲＥの位置とは同一であり、各組の４ポートＣＳＩ−ＲＳに対し、４ビットの直交拡散符号を用いた多重化が行われる。
【００６９】
１つのＰＲＢに１０組の４ポートＣＳＩ−ＲＳを含むが、本開示の実施例において、そのうちの８組の４ポートＣＳＩ−ＲＳを任意に選択して３２ポートＣＳＩ−ＲＳを構成する。選択可能に、スロット１のうちＯＦＤＭシンボル２、ＯＦＤＭシンボル３から任意に選択した４組の４ポートＣＳＩ−ＲＳパターンを、スロット０、スロット１のうちＯＦＤＭシンボル５、ＯＦＤＭシンボル６の４組の４ポートＣＳＩ−ＲＳパターンと組み合わせることによって、３２ポートＣＳＩ−ＲＳパターンを構成する。
【００７０】
図４ａは、方法１における一つの３２ポート参照信号パターンを例示的に示す。図４ａでは、各四角形格子で１つのＲＥを示す。３２ポートＣＳＩ−ＲＳのマッピング先となるＲＥのうち、各ＲＥに対応する四角形格子は、アルファベットで標識される。同一アルファベットのＲＥは、４ポート参照信号パターンのうちの１組の４ポートＣＳＩ−ＲＳのマッピング先となるＲＥに対応する。図４ａに示す３２ポート参照信号パターンにおいて、８組の４ポートＣＳＩ−ＲＳを含む。当該８組の４ポートＣＳＩ−ＲＳのマッピング先となるＲＥは、それぞれＡ、Ｂ、Ｃ、Ｄ、Ｅ、Ｆ、Ｇ、Ｈ、Ｉ、Ｊと標識される。各組のＲＥと、４ポート参照信号パターンのうちの１組のＣＳＩ−ＲＳのマッピング先となるＲＥとは、位置が同一である。
【００７１】
具体的に、スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥとは、ＴＤＭ方式で１つのグループを構成する。同様に、スロット０、スロット１のうちＯＦＤＭシンボル５、ＯＦＤＭシンボル６の標識Ｂ、Ｉ、ＪのＲＥは、それぞれ１つのグループを構成し、スロット１のうちＯＦＤＭシンボル２、ＯＦＤＭシンボル３の標識ＣのＲＥは、ＴＤＭとＦＤＭの組み合わせ方式で１つのグループを構成する。同様に、スロット１のうちＯＦＤＭシンボル２、ＯＦＤＭシンボル３の標識Ｄ、Ｅ、ＦのＲＥは、それぞれ１つのグループを構成する。
【００７２】
同一アルファベットに対応するＣＳＩ−ＲＳによって１つのＯＣＣ＝４のグループを構成し、１組の４ビット直交拡散符号を用いて多重化を行う（すなわちＯＣＣ＝４）。
【００７３】
図４ｂは、方法１におけるもう一つの３２ポート参照信号パターンを例示的に示す。図４ｂは、スロット１のうちのＯＦＤＭシンボル２、ＯＦＤＭシンボル３のグループＣＳＩ−ＲＳが異なるという点で、図４ａとは異なる。図４ｂにおいて、同一アルファベットに対応するＣＳＩ−ＲＳは、１組の４ビット直交拡散符号を用いて多重化を行う。
【００７４】
なお、図４ａ、図４ｂは、単にそれぞれ１つの可能な３２ポート参照信号パターンを示している。前記３２ポート参照信号パターンの分布規律に基づいて他の３２ポート参照信号パターンを得ることもできるが、ここでは逐一に列挙しない。
【００７５】
本開示の実施例において、さらに上記方法１の原理に基づいて、ＴＤＤ（Ｔｉｍｅ  Ｄｉｖｉｓｉｏｎ  Ｄｕｐｌｅｘｉｎｇ）サブフレームのＤｗＰＴＳ領域の３２ポート参照信号パターンを得ることもできる。
【００７６】
図４ｃ、図４ｄは、それぞれもう一つの３２ポート参照信号パターンを示している。図４ｃに示すパターンは、１１個または１２個のＯＦＤＭシンボルが含まれるＤｗＰＴＳに適用し、図４ｄに示すパターンは、拡張ＣＰ採用の長さが１２個のシンボルであるサブフレームに適用する。図４ｃ、図４ｄでは、３２ポートＣＳＩ−ＲＳパターンは、８組の４ポートＣＳＩ−ＲＳパターンから構成される。各組は、１つの同一アルファベットで標識される。同一アルファベットに対応するＣＳＩ−ＲＳによって１つのＯＣＣ＝４のグループを構成し、１組の４ビット直交拡散符号を用いて多重化を行う。なお、図４ｃ、図４ｄは、単に２つの可能な３２ポート参照信号パターンを示している。前記３２ポート参照信号パターンの分布規律に基づいて他の３２ポート参照信号パターンを得ることもできるが、ここでは逐一に列挙しない。
【００７７】
上記方法１における３２ポートＣＳＩ−ＲＳパターンによって、３２個のＣＳＩ−ＲＳポートに同一の送信パワーを有することが保証され、そのポートに用いられる直交拡散符号は、新たにＲｅｌ−１３の拡散符号で定義される。
【００７８】
方法２
方法２の３２ポート参照信号パターンにおいて、１組の３２ポートＣＳＩ−ＲＳのマッピング先となる３２個のＲＥの位置と、８ポート参照信号パターンのうち４組の８ポートＣＳＩ−ＲＳのマッピング先となる３２個のＲＥの位置とは同一であり、各組の８ポートＣＳＩ−ＲＳのうちの２つのグループＣＳＩ−ＲＳに対し、それぞれ４ビットの直交拡散符号を用いた多重化が行われる。ここで、一方のグループＣＳＩ−ＲＳは、４個のポートに対応するＲＥにマッピングされる。
【００７９】
１つのＰＲＢに５組の８ポートＣＳＩ−ＲＳを含むが、本開示の実施例において、そのうちの４組の８ポートＣＳＩ−ＲＳを任意に選択して３２ポートＣＳＩ−ＲＳを構成する。選択可能に、各組の８ポートＣＳＩ−ＲＳのマッピング先となるＲＥは、スロット０のうちのＯＦＤＭシンボル５、ＯＦＤＭシンボル６、スロット１のうちのＯＦＤＭシンボル５、ＯＦＤＭシンボル６、およびスロット１のうちのＯＦＤＭシンボル２、ＯＦＤＭシンボル３に分布する。ここで、１組の８ポートＣＳＩ−ＲＳのうち、スロット０のうちのＯＦＤＭシンボル５、ＯＦＤＭシンボル６に分布する２個のＲＥと、スロット１のうちのＯＦＤＭシンボル５、ＯＦＤＭシンボル６に分布する２個のＲＥとは、１つのグループを構成し、スロット１のうちのＯＦＤＭシンボル２、ＯＦＤＭシンボル３に分布する４個のＲＥは、１つのグループを構成する。
【００８０】
図５ａは、方法２における一つの３２ポート参照信号パターンを例示的に示す。図５ａでは、各四角形格子で１つのＲＥを示す。３２ポートＣＳＩ−ＲＳのマッピング先となるＲＥのうち、各ＲＥに対応する四角形格子は、アルファベットで標識される。図５ａに示す３２ポート参照信号パターンにおいて、４組の８ポートＣＳＩ−ＲＳを含む。当該４組の８ポートＣＳＩ−ＲＳのマッピング先となるＲＥは、それぞれＡ〜Ｈと標識される。標識Ａ、Ｂの２組のＲＥと、８ポート参照信号パターンのうちの１組の８ポートＣＳＩ−ＲＳのマッピング先となるＲＥとは、位置が同一である。同様に、標識Ｃ、Ｄの２組のＲＥと、標識Ｅ、Ｆの２組のＲＥと、標識Ｇ、Ｈの２組のＲＥは、それぞれ、８ポート参照信号パターンのうちの１組の８ポートＣＳＩ−ＲＳのマッピング先となるＲＥとは、位置が同一である。
【００８１】
具体的に、スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥとは、ＴＤＭ方式で１つのグループを構成する。同様に、スロット０、スロット１のうちＯＦＤＭシンボル５、ＯＦＤＭシンボル６の標識Ｃ、Ｅ、ＧのＲＥは、それぞれ１つのグループを構成し、スロット１のうちＯＦＤＭシンボル２、ＯＦＤＭシンボル３の標識ＢのＲＥは、ＴＤＭとＦＤＭの組み合わせ方式で１つのグループを構成する。同様に、スロット１のうちＯＦＤＭシンボル２、ＯＦＤＭシンボル３の標識Ｄ、Ｆ、ＨのＲＥは、それぞれ１つのグループを構成する。
【００８２】
同一アルファベットに対応するＣＳＩ−ＲＳによって１つのＯＣＣ＝４のグループを構成し、１組の４ビット直交拡散符号を用いて多重化を行う（すなわちＯＣＣ＝４）。
【００８３】
図５ｂは、方法２におけるもう一つの３２ポート参照信号パターンを例示的に示す。図５ｂは、スロット１のうちのＯＦＤＭシンボル２、ＯＦＤＭシンボル３のグループＣＳＩ−ＲＳが異なるという点で、図５ａとは異なる。図５ｂにおいて、同一アルファベットに対応するＣＳＩ−ＲＳによって１つのＯＣＣ＝４のグループを構成し、１組の４ビット直交拡散符号を用いて多重化を行う。
【００８４】
なお、図５ａ、図５ｂは、単にそれぞれ１つの可能な３２ポート参照信号パターンを示している。前記３２ポート参照信号パターンの分布規律に基づいて他の３２ポート参照信号パターンを得ることもできる。例えば、図５ａでＯＦＤＭシンボル２、３の４個のＯＣＣ＝４のグループ（標識Ｂ、Ｄ、Ｆ、Ｈ）の位置および使用されていないリソースの位置は、単に一つの実例であり、重なり合わずにシンボル２、３の任意の位置とすることができる。
【００８５】
本開示の実施例において、さらに上記方法２の原理に基づいてＴＤＤサブフレームのＤｗＰＴＳ領域の３２ポート参照信号パターンを得ることもできる。
【００８６】
図５ｃ、図５ｄは、それぞれもう一つの３２ポート参照信号パターンを示している。図５ｃに示すパターンは、１１個または１２個のＯＦＤＭシンボルが含まれるＤｗＰＴＳに適用し、図５ｄに示すパターンは、拡張ＣＰ採用の長さが１２個のシンボルであるサブフレームに適用する。図５ｃ、図５ｄでは、３２ポートＣＳＩ−ＲＳパターンは、４組の８ポートＣＳＩ−ＲＳパターンから構成される（２つの異なるアルファベットで標識されるＲＥは、１組の８ポートＣＳＩ−ＲＳパターンである。）。同一アルファベットに対応するＣＳＩ−ＲＳによって１つのＯＣＣ＝４のグループを構成し、１組の４ビット直交拡散符号を用いて多重化を行う。なお、図５ｃ、図５ｄは、単に２つの可能な３２ポート参照信号パターンを示している。前記３２ポート参照信号パターンの分布規律に基づいて他の３２ポート参照信号パターンを得ることもできるが、ここでは逐一に列挙しない。
【００８７】
上記方法２における３２ポートＣＳＩ−ＲＳパターンによって、３２個のＣＳＩ−ＲＳポートに同一の送信パワーを有することが保証され、そのポートに用いられる直交拡散符号は、新たにＲｅｌ−１３の拡散符号で定義される。
【００８８】
方法３
方法３の３２ポート参照信号パターンにおいて、１組の３２ポートＣＳＩ−ＲＳのマッピング先となる３２個のＲＥの位置と、８ポート参照信号パターンのうち４組の８ポートＣＳＩ−ＲＳのマッピング先となる３２個のＲＥの位置とは同一であり、各組の８ポートＣＳＩ−ＲＳに対し、８ビットの直交拡散符号を用いた多重化が行われる。
【００８９】
１つのＰＲＢに５組の８ポートＣＳＩ−ＲＳを含むが、本開示の実施例において、そのうちの４組の８ポートＣＳＩ−ＲＳを任意に選択して３２ポートＣＳＩ−ＲＳを構成する。選択可能に、各組の８ポートＣＳＩ−ＲＳのマッピング先となるＲＥは、スロット０のうちのＯＦＤＭシンボル５、ＯＦＤＭシンボル６、スロット１のうちのＯＦＤＭシンボル５、ＯＦＤＭシンボル６、およびスロット１のうちのＯＦＤＭシンボル２、ＯＦＤＭシンボル３に分布する。ここで、１組の８ポートＣＳＩ−ＲＳのうち、スロット０のうちのＯＦＤＭシンボル５、ＯＦＤＭシンボル６に分布する２個のＲＥと、スロット１のうちのＯＦＤＭシンボル５、ＯＦＤＭシンボル６に分布する２個のＲＥと、スロット１のうちのＯＦＤＭシンボル２、ＯＦＤＭシンボル３に分布する４個のＲＥは、１つのグループを構成する。
【００９０】
図６ａは、方法３における一つの３２ポート参照信号パターンを例示的に示す。図６ａでは、各四角形格子で１つのＲＥを示す。３２ポートＣＳＩ−ＲＳのマッピング先となるＲＥのうち、各ＲＥに対応する四角形格子は、アルファベットで標識される。図６ａに示す３２ポート参照信号パターンにおいて、４組の８ポートＣＳＩ−ＲＳを含む。当該４組の８ポートＣＳＩ−ＲＳのマッピング先となるＲＥは、それぞれＡ〜Ｄと標識される。標識ＡのＲＥと、８ポート参照信号パターンのうちの１組の８ポートＣＳＩ−ＲＳのマッピング先となるＲＥとは、位置が同一である。同様に、標識Ｂの１組のＲＥと、標識Ｃの１組のＲＥと、標識Ｄの１組のＲＥは、それぞれ、８ポート参照信号パターンのうちの１組の８ポートＣＳＩ−ＲＳのマッピング先となるＲＥとは、位置が同一である。
【００９１】
具体的に、スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥと、スロット１のうちＯＦＤＭシンボル２、ＯＦＤＭシンボル３の標識ＡのＲＥとは、ＴＤＭとＦＤＭの組み合わせ方式で１つのグループを構成する。同様に、標識Ｂ、Ｃ、ＤのＲＥは、それぞれ１つのグループを構成する。
【００９２】
同一アルファベットに対応するＣＳＩ−ＲＳによって１つのＯＣＣ＝８のグループを構成し、１組の８ビット直交拡散符号を用いて多重化を行う。例えば表１に示す方式で多重化を行うことができる。
【００９３】
【表１】
2019509688.tif 000003
【００９４】
下記のことが分かる。本開示の実施例において、ＴＤＭとＦＤＭの組み合わせ方式で多重化し、同時にＯＣＣ＝８を採用するため、パイロットのフルパワー利用（ｆｕｌｌ−ｐｏｗｅｒ  ｕｔｉｌｉｚａｔｉｏｎ）が実現され、パイロットとデータに同一の送信パワーを有する。
【００９５】
図６ｂは、方法３におけるもう一つの３２ポート参照信号パターンを例示的に示す。図６ｂは、スロット１のうちのＯＦＤＭシンボルにおける１つのグループのＲＥ（すなわち８ポート参照信号パターンのうち１つの８ポートＣＳＩ−ＲＳのマッピング先となるＲＥ）の分布が異なるという点で、図６ａとは異なる。図６ｂにおいて、同一アルファベットに対応するＣＳＩ−ＲＳによって１つのＯＣＣ＝８のグループを構成し、１組の８ビット直交拡散符号を用いて多重化を行う。例えば表２に示す方式で多重化を行うことができる。
【００９６】
なお、図６ａ、図６ｂは、単にそれぞれ１つの可能な３２ポート参照信号パターンを示している。前記３２ポート参照信号パターンの分布規律に基づいて他の３２ポート参照信号パターンを得ることもできる。例えば、ＯＦＤＭシンボル２、ＯＦＤＭシンボル３の４個のグループおよび使用されていないリソースの位置は、重なり合わずに任意に選択することができ、また各グループを周波数領域でさらに２組の隣接しないサブグループに分けることもできる。ここでは逐一に枚挙しない。
【００９７】
本開示の実施例において、さらに上記方法２の原理に基づいてＴＤＤサブフレームのＤｗＰＴＳ領域の３２ポート参照信号パターンを得ることができる。
【００９８】
図６ｃ、図６ｄは、それぞれもう一つの３２ポート参照信号パターンを示している。図６ｃに示すパターンは、１１個または１２個のＯＦＤＭシンボルが含まれるＤｗＰＴＳに適用し、図６ｄに示すパターンは、拡張ＣＰ採用の長さが１２個のシンボルであるサブフレームに適用する。図６ｃ、図６ｄでは、３２ポートＣＳＩ−ＲＳパターンは、４組の８ポートＣＳＩ−ＲＳパターンから構成される。同一アルファベットに対応するＣＳＩ−ＲＳによって１つのＯＣＣ＝８のグループを構成し、１組の８ビット直交拡散符号を用いて多重化を行う。なお、図６ｃ、図６ｄは、単に２つの可能な３２ポート参照信号パターンを示している。前記３２ポート参照信号パターンの分布規律に基づいて他の３２ポート参照信号パターンを得ることもできるが、ここでは逐一に列挙しない。
【００９９】
（２）２４ポート参照信号パターン
方法１
方法１の２４ポート参照信号パターンにおいて、１組の２４ポートＣＳＩ−ＲＳのマッピング先となる２４個のＲＥの位置と、４ポート参照信号パターンのうち６組の４ポートＣＳＩ−ＲＳのマッピング先となる２４個のＲＥの位置とは同一であり、各組の４ポートＣＳＩ−ＲＳに対し、４ビットの直交拡散符号を用いた多重化が行われる。
【０１００】
１つのＰＲＢに１０組の４ポートＣＳＩ−ＲＳを含むが、本開示の実施例において、そのうちの６組の４ポートＣＳＩ−ＲＳを任意に選択して２４ポートＣＳＩ−ＲＳを構成する。選択可能に、スロット１のうちＯＦＤＭシンボル２、ＯＦＤＭシンボル３から任意に選択した３組の４ポートＣＳＩ−ＲＳパターンを、スロット０、スロット１のうちＯＦＤＭシンボル５、ＯＦＤＭシンボル６の３組の４ポートＣＳＩ−ＲＳパターンと組み合わせることによって、２４ポートＣＳＩ−ＲＳパターンを構成する。
【０１０１】
図７ａは、方法１における一つの２４ポート参照信号パターンを例示的に示す。スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥとは、ＴＤＭ方式で１つのグループを構成する。同様に、スロット０、スロット１のうちＯＦＤＭシンボル５、ＯＦＤＭシンボル６の標識Ｂ、ＩのＲＥは、それぞれ１つのグループを構成し、スロット１のうちＯＦＤＭシンボル２、ＯＦＤＭシンボル３の標識ＣのＲＥは、ＴＤＭとＦＤＭの組み合わせ方式で１つのグループを構成する。同様に、スロット１のうちＯＦＤＭシンボル２、ＯＦＤＭシンボル３の標識Ｄ、ＥのＲＥは、それぞれ１つのグループを構成する。
【０１０２】
同一アルファベットに対応するＣＳＩ−ＲＳによって１つのＯＣＣ＝４のグループを構成し、１組の４ビット直交拡散符号を用いて多重化を行う（すなわちＯＣＣ＝４）。
【０１０３】
図７ｂは、方法１におけるもう一つの２４ポート参照信号パターンを例示的に示す。図７ｂは、スロット１のうちのＯＦＤＭシンボル２、ＯＦＤＭシンボル３のグループＣＳＩ−ＲＳが異なるという点で、図７ａとは異なる。図７ｂにおいて、同一アルファベットに対応するＣＳＩ−ＲＳは、１組の４ビット直交拡散符号を用いて多重化を行う。
【０１０４】
なお、図７ａ、図７ｂは、単にそれぞれ１つの可能な２４ポート参照信号パターンを示している。前記２４ポート参照信号パターンの分布規律に基づいて他の２４ポート参照信号パターンを得ることもできるが、ここでは逐一に列挙しない。
【０１０５】
図７ｃ、図７ｄは、それぞれもう一つの２４ポート参照信号パターンを示している。図７ｃに示すパターンは、１１個または１２個のＯＦＤＭシンボルが含まれるＤｗＰＴＳに適用し、図７ｄに示すパターンは、拡張ＣＰ採用の長さが１２個のシンボルであるサブフレームに適用する。図７ｃ、図７ｄでは、２４ポートＣＳＩ−ＲＳパターンは、６組の４ポートＣＳＩ−ＲＳパターンから構成される。各組は、１つの同一アルファベットで標識される。同一アルファベットに対応するＣＳＩ−ＲＳによって１つのＯＣＣ＝４のグループを構成し、１組の４ビット直交拡散符号を用いて多重化を行う。なお、図７ｃ、図７ｄは、単に２つの可能な２４ポート参照信号パターンを示している。前記２４ポート参照信号パターンの分布規律に基づいて他の２４ポート参照信号パターンを得ることもできるが、ここでは逐一に列挙しない。
【０１０６】
上記方法１における２４ポートＣＳＩ−ＲＳパターンによって、２４個のＣＳＩ−ＲＳポートに同一の送信パワーを有することが保証され、そのポートに用いられる直交拡散符号は、新たにＲｅｌ−１３の拡散符号で定義される。
【０１０７】
方法２
方法２の２４ポート参照信号パターンにおいて、１組の２４ポートＣＳＩ−ＲＳのマッピング先となる２４個のＲＥの位置と、８ポート参照信号パターンのうち３組の８ポートＣＳＩ−ＲＳのマッピング先となる２４個のＲＥの位置とは同一であり、各組の８ポートＣＳＩ−ＲＳのうちの２つのグループＣＳＩ−ＲＳに対し、それぞれ４ビットの直交拡散符号を用いた多重化が行われる。ここで、一方のグループＣＳＩ−ＲＳは、４個のポートに対応するＲＥにマッピングされる。
【０１０８】
１つのＰＲＢに５組の８ポートＣＳＩ−ＲＳを含むが、本開示の実施例において、そのうちの３組の８ポートＣＳＩ−ＲＳを任意に選択して２４ポートＣＳＩ−ＲＳを構成する。
【０１０９】
図８ａは、方法２における一つの２４ポート参照信号パターンを例示的に示す。図８ａは、スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥとは、ＴＤＭ方式で１つのグループを構成する。同様に、スロット０、スロット１のうちＯＦＤＭシンボル５、ＯＦＤＭシンボル６の標識ＣのＲＥは、それぞれ１つのグループを構成し、スロット１のうちＯＦＤＭシンボル２、ＯＦＤＭシンボル３の標識ＢのＲＥは、ＴＤＭとＦＤＭの組み合わせ方式で１つのグループを構成する。同一アルファベットに対応するＣＳＩ−ＲＳによって１つのＯＣＣ＝４のグループを構成し、１組の４ビット直交拡散符号を用いて多重化を行う。
【０１１０】
図８ｂは、方法２におけるもう一つの２４ポート参照信号パターンを例示的に示す。図８ｂは、スロット１のうちのＯＦＤＭシンボル２、ＯＦＤＭシンボル３のグループＣＳＩ−ＲＳが異なるという点で、図８ａとは異なる。図８ｂにおいて、同一アルファベットに対応するＣＳＩ−ＲＳによって１つのＯＣＣ＝４のグループを構成し、１組の４ビット直交拡散符号を用いて多重化を行う。
【０１１１】
なお、図８ａ、図８ｂは、単にそれぞれ１つの可能な２４ポート参照信号パターンを示している。前記２４ポート参照信号パターンの分布規律に基づいて他の２４ポート参照信号パターンを得ることもできる。
【０１１２】
図８ｃ、図８ｄは、それぞれもう一つの２４ポート参照信号パターンを示している。図８ｃに示すパターンは、１１個または１２個のＯＦＤＭシンボルが含まれるＤｗＰＴＳに適用し、図８ｄに示すパターンは、拡張ＣＰ採用の長さが１２個のシンボルであるサブフレームに適用する。図８ｃ、図８ｄでは、２４ポートＣＳＩ−ＲＳパターンは、３組の８ポートＣＳＩ−ＲＳパターンから構成される（２つの異なるアルファベットで標識されるＲＥは、１組の８ポートＣＳＩ−ＲＳパターンである。）。同一アルファベットに対応するＣＳＩ−ＲＳによって１つのＯＣＣ＝４のグループを構成し、１組の４ビット直交拡散符号を用いて多重化を行う。なお、図８ｃ、図８ｄは、単に２つの可能な２４ポート参照信号パターンを示している。前記２４ポート参照信号パターンの分布規律に基づいて他の２４ポート参照信号パターンを得ることもできるが、ここでは逐一に列挙しない。
【０１１３】
上記方法２における２４ポートＣＳＩ−ＲＳパターンによって、２４個のＣＳＩ−ＲＳポートに同一の送信パワーを有することが保証され、そのポートに用いられる直交拡散符号は、新たにＲｅｌ−１３の拡散符号で定義される。
【０１１４】
方法３
方法３の２４ポート参照信号パターンにおいて、１組の２４ポートＣＳＩ−ＲＳのマッピング先となる２４個のＲＥの位置と、８ポート参照信号パターンのうち３組の８ポートＣＳＩ−ＲＳのマッピング先となる２４個のＲＥの位置とは同一であり、各組の８ポートＣＳＩ−ＲＳに対し、８ビットの直交拡散符号を用いた多重化が行われる。
【０１１５】
１つのＰＲＢに５組の８ポートＣＳＩ−ＲＳを含むが、本開示の実施例において、そのうちの３組の８ポートＣＳＩ−ＲＳを任意に選択して２４ポートＣＳＩ−ＲＳを構成する。
【０１１６】
図９ａは、方法３における一つの２４ポート参照信号パターンを例示的に示す。図９ａは、スロット０のうちＯＦＤＭシンボル５、ＯＦＤＭシンボル６の標識ＡのＲＥと、スロット１のうちＯＦＤＭシンボル５、ＯＦＤＭシンボル６の標識ＡのＲＥと、スロット１のうちＯＦＤＭシンボル２、ＯＦＤＭシンボル３の標識ＡのＲＥとは、ＴＤＭとＦＤＭの組み合わせ方式で１つのグループを構成する。同様に、標識Ｂ、ＣのＲＥは、それぞれ１つのグループを構成する。
【０１１７】
同一アルファベットに対応するＣＳＩ−ＲＳによって１つのＯＣＣ＝８のグループを構成し、１組の８ビット直交拡散符号を用いて多重化を行う。
【０１１８】
下記のことが分かる。本開示の実施例において、ＴＤＭとＦＤＭの組み合わせ方式で多重化し、同時にＯＣＣ＝８を採用するため、パイロットのフルパワー利用（ｆｕｌｌ−ｐｏｗｅｒ  ｕｔｉｌｉｚａｔｉｏｎ）が実現され、パイロットとデータに同一の送信パワーを有する。
【０１１９】
図９ｂは、方法３におけるもう一つの２４ポート参照信号パターンを例示的に示す。図９ｂは、スロット１のうちのＯＦＤＭシンボルにおける１つのグループのＲＥ（すなわち８ポート参照信号パターンのうち１つの８ポートＣＳＩ−ＲＳのマッピング先となるＲＥ）の分布が異なるという点で、図９ａとは異なる。図９ｂにおいて、同一アルファベットに対応するＣＳＩ−ＲＳによって１つのＯＣＣ＝８のグループを構成し、１組の８ビット直交拡散符号を用いて多重化を行う。
【０１２０】
なお、図９ａ、図９ｂは、単にそれぞれ１つの可能な２４ポート参照信号パターンを示している。前記２４ポート参照信号パターンの分布規律に基づいて他の２４ポート参照信号パターンを得ることもできるが、ここでは逐一に枚挙しない。
【０１２１】
図９ｃ、図９ｄは、それぞれもう一つの２４ポート参照信号パターンを示している。図９ｃに示すパターンは、１１個または１２個のＯＦＤＭシンボルが含まれるＤｗＰＴＳに適用し、図９ｄに示すパターンは、拡張ＣＰ採用の長さが１２個のシンボルであるサブフレームに適用する。図９ｃ、図９ｄでは、２４ポートＣＳＩ−ＲＳパターンは、３組の８ポートＣＳＩ−ＲＳパターンから構成される。同一アルファベットに対応するＣＳＩ−ＲＳによって１つのＯＣＣ＝８のグループを構成し、１組の８ビット直交拡散符号を用いて多重化を行う。なお、図９ｃ、図９ｄは、単に２つの可能な２４ポート参照信号パターンを示している。前記２４ポート参照信号パターンの分布規律に基づいて他の２４ポート参照信号パターンを得ることもできるが、ここでは逐一に列挙しない。
【０１２２】
１８ポートＣＳＩ−ＲＳ、２０ポートＣＳＩ−ＲＳ、２８ポートＣＳＩ−ＲＳについて、上述した３２ポートＣＳＩ−ＲＳまたは２４ポートＣＳＩ−ＲＳのマッピング原理に基づいて実現できる。相違点として、８ポート参照信号パターンに基づいて、１８ポートＣＳＩ−ＲＳ、２０ポートＣＳＩ−ＲＳ、２８ポートＣＳＩ−ＲＳのマッピング先となるＲＥを確定するときは、８ポート参照信号パターンに基づいて、２４ポートＣＳＩ−ＲＳまたは３２ポートＣＳＩ−ＲＳのマッピング先となるＲＥを確定するときより、グループ毎に多重化されるＣＳＩ−ＲＳポート数が少ない。また、各組のＣＳＩ−ＲＳのマッピング先となるＲＥの数は、減少するか一定に保たれる。
【０１２３】
（３）１８ポート参照信号パターン
１８ポート参照信号パターンにおいて、１組の１８ポートＣＳＩ−ＲＳのマッピング先となる１８個のＲＥの位置と、８ポート参照信号パターンのうち３組の８ポートＣＳＩ−ＲＳのマッピング先となる１８個のＲＥの位置とは、同一である。ここで、各組の６ポートＣＳＩ−ＲＳは、６個のＲＥにマッピングされ、かつ６ビットの直交拡散符号を用いた多重化が行われる。
【０１２４】
図１０ａは、一つの１８ポート参照信号パターンを例示的に示す。図１０ａでは、各四角形格子で１つのＲＥを示す。１８ポートＣＳＩ−ＲＳのマッピング先となるＲＥのうち、各ＲＥに対応する四角形格子は、アルファベットで標識される。図１０ａに示す１８ポート参照信号パターンにおいて、３組の６ポートＣＳＩ−ＲＳを含む。当該３組の６ポートＣＳＩ−ＲＳのマッピング先となるＲＥは、それぞれＡ、Ｂ、Ｃと標識される。同一アルファベットに対応するＣＳＩ−ＲＳによって１つのＯＣＣ＝６のグループを構成し、１組の６ビット直交拡散符号を用いて多重化を行う。
【０１２５】
図１０ｂは、もう一つの１８ポート参照信号パターンを例示的に示す。図１０ｂは、スロット１のうちのＯＦＤＭシンボル２、ＯＦＤＭシンボル３のグループＣＳＩ−ＲＳが異なるという点で、図１０ａとは異なる。
【０１２６】
なお、図１０ａ、図１０ｂは、単にそれぞれ１つの可能な１８ポート参照信号パターンを示している。前記１８ポート参照信号パターンの分布規律に基づいて他の１８ポート参照信号パターンを得ることもできる。
【０１２７】
本開示の実施例において、さらに上記原理に基づいてＴＤＤサブフレームのＤｗＰＴＳ領域の１８ポート参照信号パターンを得ることもできる。
【０１２８】
図１０ｃ、図１０ｄは、それぞれもう一つの１８ポート参照信号パターンを示している。図１０ｃに示すパターンは、１１個または１２個のＯＦＤＭシンボルが含まれるＤｗＰＴＳに適用し、図１０ｄに示すパターンは、拡張ＣＰ採用の長さが１２個のシンボルであるサブフレームに適用する。図１０ｃ、図１０ｄでは、１８ポートＣＳＩ−ＲＳパターンは、３組の８ポートＣＳＩ−ＲＳパターンから構成される。同一アルファベットに対応するＣＳＩ−ＲＳによって１つグループを構成し、１組の６ビット直交拡散符号を用いて多重化を行う。なお、図１０ｃ、図１０ｄは、単に２つの可能な１８ポート参照信号パターンを示している。前記１８ポート参照信号パターンの分布規律に基づいて他の１８ポート参照信号パターンを得ることもできるが、ここでは逐一に列挙しない。
【０１２９】
別の実現形態として、１８ポート参照信号パターンにおいて、１組の１８ポートＣＳＩ−ＲＳのマッピング先となる２４個のＲＥの位置と、８ポート参照信号パターンのうち３組の８ポートＣＳＩ−ＲＳのマッピング先となる全てのＲＥの位置とは同一である。ここで、各組の６ポートＣＳＩ−ＲＳは、８個のＲＥにマッピングされ、かつ８ビットの直交拡散符号のうちの６個のコードワードを用いた多重化が行われる。実例の図は、図７ａ〜図７ｄとはまったく同一である。
【０１３０】
上記の１８ポートＣＳＩ−ＲＳパターンによって、１８個のＣＳＩ−ＲＳポートに同一の送信パワーを有することが保証され、そのポートに用いられる直交拡散符号は、新たにＲｅｌ−１３の拡散符号で定義される。
【０１３１】
（４）２０ポート参照信号パターン
２０ポート参照信号パターンにおいて、１組の２０ポートＣＳＩ−ＲＳのマッピング先となる２０個のＲＥの位置と、８ポート参照信号パターンのうち４組の８ポートＣＳＩ−ＲＳのマッピング先となる全てのＲＥのうちの２０個のＲＥの位置とは、同一である。ここで、各組の５ポートＣＳＩ−ＲＳは、５個のＲＥにマッピングされ、かつ５ビットの直交拡散符号を用いた多重化が行われる。
【０１３２】
図１１ａは、一つの２０ポート参照信号パターンを例示的に示す。図１１ａでは、各四角形格子で１つのＲＥを示す。２０ポートＣＳＩ−ＲＳのマッピング先となるＲＥのうち、各ＲＥに対応する四角形格子は、アルファベットで標識される。図１１ａに示す１８ポート参照信号パターンにおいて、４組の５ポートＣＳＩ−ＲＳを含む。当該４組の５ポートＣＳＩ−ＲＳのマッピング先となるＲＥは、それぞれＡ〜Ｄと標識される。同一アルファベットに対応するＣＳＩ−ＲＳによって１つのＯＣＣ＝５のグループを構成し、１組の５ビット直交拡散符号を用いて多重化を行う。
【０１３３】
図１１ｂは、もう一つの２０ポート参照信号パターンを例示的に示す。図１１ｂは、スロット１のうちのＯＦＤＭシンボル２、ＯＦＤＭシンボル３のグループＣＳＩ−ＲＳが異なるという点で、図１１ａとは異なる。
【０１３４】
なお、図１１ａ、図１１ｂは、単にそれぞれ１つの可能な２０ポート参照信号パターンを示している。前記２０ポート参照信号パターンの分布規律に基づいて他の２０ポート参照信号パターンを得ることができる。
【０１３５】
本開示の実施例において、さらに上記原理に基づいてＴＤＤサブフレームのＤｗＰＴＳ領域の２０ポート参照信号パターンをさらに得ることもできる。
【０１３６】
図１１ｃ、図１１ｄは、それぞれもう一つの２０ポート参照信号パターンを示している。図１１ｃに示すパターンは、１１個または１２個のＯＦＤＭシンボルが含まれるＤｗＰＴＳに適用し、図１１ｄに示すパターンは、拡張ＣＰ採用の長さが１２個のシンボルであるサブフレームに適用する。図１１ｃ、図１１ｄでは、２０ポートＣＳＩ−ＲＳパターンは、４組の８ポートＣＳＩ−ＲＳパターンから構成される。同一アルファベットに対応するＣＳＩ−ＲＳによって１つグループを構成し、１組の５ビット直交拡散符号を用いて多重化を行う。なお、図１１ｃ、図１１ｄは、単に２つの可能な２０ポート参照信号パターンを示している。前記２０ポート参照信号パターンの分布規律に基づいて他の２０ポート参照信号パターンを得ることもできるが、ここでは逐一に列挙しない。
【０１３７】
別の実現形態として、２０ポート参照信号パターンにおいて、１組の２０ポートＣＳＩ−ＲＳのマッピング先となる３２個のＲＥの位置と、８ポート参照信号パターンのうち４組の８ポートＣＳＩ−ＲＳのマッピング先となる全てのＲＥの位置とは同一である。ここで、各組の５ポートＣＳＩ−ＲＳは、８個のＲＥにマッピングされ、かつ８ビットの直交拡散符号のうちの５個のコードワードを用いた多重化が行われる。実例の図は、図６ａ〜図６ｄとはまったく同一である。
【０１３８】
上記の２０ポートＣＳＩ−ＲＳパターンによって、２０個のＣＳＩ−ＲＳポートに同一の送信パワーを有することが保証され、そのポートに用いられる直交拡散符号は、新たにＲｅｌ−１３の拡散符号で定義される。
【０１３９】
（５）２８ポート参照信号パターン
２８ポート参照信号パターンにおいて、１組の２０ポートＣＳＩ−ＲＳのマッピング先となる２０個のＲＥの位置と、８ポート参照信号パターンのうち４組の８ポートＣＳＩ−ＲＳのマッピング先となる全てのＲＥのうち２８個のＲＥの位置とは、同一である。ここで、各組の７ポートＣＳＩ−ＲＳは、７個のＲＥにマッピングされ、かつ７ビットの直交拡散符号を用いた多重化が行われる。
【０１４０】
図１２ａは、一つの２８ポート参照信号パターンを例示的に示す。図１２ａでは、各四角形格子で１つのＲＥを示す。２８ポートＣＳＩ−ＲＳのマッピング先となるＲＥのうち、各ＲＥに対応する四角形格子は、アルファベットで標識される。図１２ａに示す２８ポート参照信号パターンにおいて、４組の７ポートＣＳＩ−ＲＳを含む。当該４組の７ポートＣＳＩ−ＲＳのマッピング先となるＲＥは、それぞれＡ〜Ｄと標識される。同一アルファベットに対応するＣＳＩ−ＲＳによって１つのＯＣＣ＝７のグループを構成し、１組の７ビット直交拡散符号を用いて多重化を行う。
【０１４１】
図１２ｂは、もう一つの２８ポート参照信号パターンを例示的に示す。図１２ｂは、スロット１のうちのＯＦＤＭシンボル２、ＯＦＤＭシンボル３のグループＣＳＩ−ＲＳが異なるという点で、図１２ａとは異なる。
【０１４２】
なお、図１２ａ、図１２ｂは、単にそれぞれ１つの可能な２８ポート参照信号パターンを示している。前記２８ポート参照信号パターンの分布規律に基づいて他の２８ポート参照信号パターンを得ることもできる。
【０１４３】
本開示の実施例において、さらに上記原理に基づいてＴＤＤサブフレームのＤｗＰＴＳ領域の２８ポート参照信号パターンをさらに得ることもできる。
【０１４４】
図１２ｃ、図１２ｄは、それぞれもう一つの２８ポート参照信号パターンを示している。図１２ｃに示すパターンは、１１個または１２個のＯＦＤＭシンボルが含まれるＤｗＰＴＳに適用し、図１２ｄに示すパターンは、拡張ＣＰ採用の長さが１２個のシンボルであるサブフレームに適用する。図１２ｃ、図１２ｄでは、２８ポートＣＳＩ−ＲＳパターンは、４組の８ポートＣＳＩ−ＲＳパターンから構成される。同一アルファベットに対応するＣＳＩ−ＲＳによって１つのグループを構成し、１組の７ビット直交拡散符号を用いて多重化を行う。なお、図１２ｃ、図１２ｄは、単に２つの可能な２８ポート参照信号パターンを示している。前記２８ポート参照信号パターンの分布規律に基づいて他の２８ポート参照信号パターンを得ることもできるが、ここでは逐一に列挙しない。
【０１４５】
別の実現形態として、２８ポート参照信号パターンにおいて、１組の２８ポートＣＳＩ−ＲＳのマッピング先となる３２個のＲＥの位置と、８ポート参照信号パターンのうち４組の８ポートＣＳＩ−ＲＳのマッピング先となる全てのＲＥの位置とは同一である。ここで、各組の７ポートＣＳＩ−ＲＳは、８個のＲＥにマッピングされ、かつ８ビットの直交拡散符号のうちの７個のコードワードを用いた多重化が行われる。実例の図は、図６ａ〜図６ｄとはまったく同一である。
【０１４６】
上記の２８ポートＣＳＩ−ＲＳパターンによって、２８個のＣＳＩ−ＲＳポートに同一の送信パワーを有することが保証され、そのポートに用いられる直交拡散符号は、新たにＲｅｌ−１３の拡散符号で定義される。
【０１４７】
以上の記載によれば、本開示の上記実施例において、４ポートまたは８ポート参照信号パターンに基づいて１８、２０、２４、２８、３２ポート参照信号パターンを取得し、参照信号のマッピングに際し、当該１８、２０、２４、２８、３２ポート参照信号パターンに基づいて、ＣＳＩ−ＲＳのマッピング先となるＲＥの位置を確定し、当該ＲＥの位置に基づいて、ＣＳＩ−ＲＳに対しリソースマッピングを行う。よって、１８、２０、２４、２８、３２ポートのＣＳＩ−ＲＳマッピングが実現され、さらに１８、２０、２４、２８、３２ポートのＣＳＩ−ＲＳ伝送が実現される。
【０１４８】
同一の技術思想に基づいて、本開示の実施例は、参照信号マッピング装置をさらに提供する。
【０１４９】
図１３は、本開示の実施例による参照信号マッピング装置の構造図である。当該装置は、上述の参照信号マッピングフローを実現することができる。当該装置は、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するための確定モジュール１３０１と、
確定されたＲＥに基づいて、ＣＳＩ−ＲＳに対しリソースマッピングを行うためのマッピングモジュール１３０２と、を含む。
【０１５０】
選択可能に、Ｎは、１８、２０、２４、２８または３２である。ここで、Ｎが２４または３２である場合に、Ｍは、４または８であり、Ｎが１８、２０、２８である場合に、Ｍは、８である。
【０１５１】
ここで、Ｎポート参照信号パターンに基づき、確定モジュール１３０１がＣＳＩ−ＲＳのマッピング先となるＲＥを確定する方法や、Ｍポート参照信号パターンの形態は、前述した実施例を参照されたく、ここで繰り返して記載しない。
【０１５２】
同一の技術思想に基づいて、本開示の実施例は、上述の参照信号マッピングフローを実現可能な基地局をさらに提供する。
【０１５３】
図１４は、本開示の実施例による基地局の構造図である。当該基地局は、プロセッサ１４０１と、メモリ１４０２と、トランシーバ１４０３と、バスインタフェースを含む。
【０１５４】
プロセッサ１４０１は、バスアーキテクチャと通常の処理を管理する。メモリ１４０２は、プロセッサ１４０１による操作実行に使用されるデータを記憶できる。トランシーバ１４０３は、プロセッサ１４０１による制御でデータを送受信するために用いられる。
【０１５５】
バスアーキテクチャは、任意数の相互接続するバスとブリッジを含み、具体的に、プロセッサ１４０１をはじめとする１つ又は複数のプロセッサとメモリ１４０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１４０３は、複数の部品であってもよく、即ち送信機と受信機を含み、伝送媒体でほかの各種類の装置と通信するユニットとして提供される。
【０１５６】
本発明の実施例に開示されているフローは、プロセッサ１４０１に応用可能であり、またはプロセッサ１４０１によって実現される。実現過程において、データ伝送フローの各ステップは、プロセッサ１４０１におけるハードウェアの集積論理回路またはソフトウェア形式の指令によって遂行される。プロセッサ１４０１は、汎用プロセッサ、デジタル信号プロセッサ、専用集積回路、ＦＰＧＡまたは他のプログラマブル論理デバイス、分離ゲートまたはトランジスタ論理デバイス、分離ハードウェアコンポーネントであり、本発明の実施例に開示されている各方法、ステップおよび論理ブロック図を実現または実行することができる。汎用プロセッサは、マイクロプロセッサまたは任意の通常プロセッサなどである。本開示の実施例に開示されている方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ１４０２に位置する。プロセッサ１４０１は、メモリ１４０２における情報を読み取って、そのハードウェアと組み合わせて制御面の処理方法のステップを遂行する。
【０１５７】
具体的に、プロセッサ１４０１は、メモリ１４０２からプログラムを読み取ることによって、
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するプロセスと、
確定されたＲＥに基づいて、ＣＳＩ−ＲＳに対しリソースマッピングを行うプロセスと、を実行することに用いられる。
【０１５８】
選択可能に、Ｎは、１８、２０、２４、２８または３２である。ここで、Ｎが２４または３２である場合に、Ｍは、４または８であり、Ｎが１８、２０、２８である場合に、Ｍは、８である。
【０１５９】
ここで、Ｎポート参照信号パターンに基づき、プロセッサ１４０１がＣＳＩ−ＲＳのマッピング先となるＲＥを確定する方法や、Ｍポート参照信号パターンの形態は、前述した実施例を参照されたく、ここで繰り返して記載しない。
【０１６０】
本開示の実施例は、方法、システム、又はコンピュータプログラムプロダクトとして提供されうると当業者が理解できる。従って、本開示は、完全にハードウェアの実施例、完全にソフトウェアの実施例、又はソフトウェアとハードウェアを組み合わせた実施例の形態を取り得る。しかも、本開示は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１６１】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１６２】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１６３】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１６４】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【図１ａ】
2019509688.tif 000004
【図１ｂ】
2019509688.tif 000005
【図１ｃ】
2019509688.tif 000006
【図２ａ】
2019509688.tif 000007
【図２ｂ】
2019509688.tif 000008
【図３】
2019509688.tif 000009
【図４ａ】
2019509688.tif 000010
【図４ｂ】
2019509688.tif 000011
【図４ｃ】
2019509688.tif 000012
【図４ｄ】
2019509688.tif 000013
【図５ａ】
2019509688.tif 000014
【図５ｂ】
2019509688.tif 000015
【図５ｃ】
2019509688.tif 000016
【図５ｄ】
2019509688.tif 000017
【図６ａ】
2019509688.tif 000018
【図６ｂ】
2019509688.tif 000019
【図６ｃ】
2019509688.tif 000020
【図６ｄ】
2019509688.tif 000021
【図７ａ】
2019509688.tif 000022
【図７ｂ】
2019509688.tif 000023
【図７ｃ】
2019509688.tif 000024
【図７ｄ】
2019509688.tif 000025
【図８ａ】
2019509688.tif 000026
【図８ｂ】
2019509688.tif 000027
【図８ｃ】
2019509688.tif 000028
【図８ｄ】
2019509688.tif 000029
【図９ａ】
2019509688.tif 000030
【図９ｂ】
2019509688.tif 000031
【図９ｃ】
2019509688.tif 000032
【図９ｄ】
2019509688.tif 000033
【図１０ａ】
2019509688.tif 000034
【図１０ｂ】
2019509688.tif 000035
【図１０ｃ】
2019509688.tif 000036
【図１０ｄ】
2019509688.tif 000037
【図１１ａ】
2019509688.tif 000038
【図１１ｂ】
2019509688.tif 000039
【図１１ｃ】
2019509688.tif 000040
【図１１ｄ】
2019509688.tif 000041
【図１２ａ】
2019509688.tif 000042
【図１２ｂ】
2019509688.tif 000043
【図１２ｃ】
2019509688.tif 000044
【図１２ｄ】
2019509688.tif 000045
【図１３】
2019509688.tif 000046
【図１４】
2019509688.tif 000047
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
Ｍ（Ｍ＝４、８）ポート参照信号パターンのうち複数組のＭポートＣＳＩ−ＲＳ（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ）のマッピング先となるＲＥ（Ｒｅｓｏｕｒｃｅ  Ｂｌｏｃｋ）の位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定することと、
確定されたＲＥに基づいて、ＣＳＩ−ＲＳに対しリソースマッピングを行うことと、を含む参照信号マッピング方法。
【請求項２】
Ｎは、１８、２０、２４、２８または３２であり、
Ｎが２４または３２である場合に、Ｍは、４または８であり、
Ｎが１８、２０、２８である場合に、Ｍは、８である請求項１に記載の方法。
【請求項３】
Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる請求項１または２に記載の方法。
【請求項４】
Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である請求項１または２に記載の方法。
【請求項５】
Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一であり、ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である請求項４に記載の方法。
【請求項６】
１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが含まれるノーマルＣＰ（Ｃｙｃｌｉｃ  Ｐｒｅｆｉｘ）サブフレーム、または、１１個または１２個のＯＦＤＭシンボルが含まれるＤｗＰＴＳ（Ｄｏｗｎｌｉｎｋ  Ｐｉｌｏｔ  Ｔｉｍｅ  Ｓｌｏｔ）において、Ｍが４である場合、前記４ポート参照信号パターンに１０組の４ポートＣＳＩ−ＲＳを含み、
そのうち、４組の４ポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳ（ＤｅＭｏｄｕｌａｔｉｏｎ  Ｒｅｆｅｒｅｎｃｅ  Ｓｉｇｎａｌ）が位置するシンボルであり、
１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含み、
そのうち、各組の８ポートＣＳＩ−ＲＳに２つのグループＣＳＩ−ＲＳを含み、グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである請求項１〜５のいずれか一項に記載の方法。
【請求項７】
１４個のＯＦＤＭシンボルが含まれるノーマルＣＰサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである請求項６に記載の方法。
【請求項８】
１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる請求項１〜５のいずれか一項に記載の方法。
【請求項９】
Ｍ（Ｍ＝４、８）ポート参照信号パターンのうち複数組のＭポートＣＳＩ−ＲＳのマッピング先となるＲＥの位置から１つのＮ（１６より大きい整数）ポートＣＳＩ−ＲＳのマッピング先となるＲＥの位置が確定されるＮポート参照信号パターンに基づいて、ＣＳＩ−ＲＳのマッピング先となるＲＥを確定するための確定モジュールと、
確定されたＲＥに基づいて、ＣＳＩ−ＲＳに対しリソースマッピングを行うためのマッピングモジュールと、を含む参照信号マッピング装置。
【請求項１０】
Ｎは、１８、２０、２４、２８または３２であり、
Ｎが２４または３２である場合に、Ｍは、４または８であり、
Ｎが１８、２０、２８である場合に、Ｍは、８である請求項９に記載の装置。
【請求項１１】
Ｎが２４または３２である場合、Ｎポート参照信号パターンのうち１つのＮポートＣＳＩ−ＲＳのマッピング先となるＲＥの位置と、４ポート参照信号パターンのうちＱ（Ｑ＝Ｎ／４）組の４ポートＣＳＩ−ＲＳのマッピング先となるＲＥの位置とは、同一であり、
各組の４ポートＣＳＩ−ＲＳに対し、４ビットの直交拡散符号の４個のコードワードを用いた多重化が行われる請求項９または１０に記載の装置。
【請求項１２】
Ｎが１８、２０、２４、２８または３２である場合、Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＲＥの位置とは、同一であり、ここで、Ｎが１８、２４である場合に、Ｌが３であり、Ｎが２０、２８または３２である場合に、Ｌが４であり、かつ、
ＮポートのうちＳポート毎に、８ビットの直交拡散符号の８個のコードワードのうちＳ個のコードワードを用いた多重化が行われ、１つの８ポートＣＳＩ−ＲＳに占用されるＲＥの位置にマッピングされ、ここで、Ｎが１８である場合に、Ｓが６または８であり、Ｎが２０である場合に、Ｓが５または８であり、Ｎが２８である場合に、Ｓが７または８であり、Ｎが２４である場合に、Ｓが８であり、Ｎが３２である場合に、Ｓが８であり、
または、ＮポートのうちＫポート毎に、Ｋビットの直交拡散符号を用いた多重化が行われ、１つの８ポートＣＳＩ−ＲＳに占用されるＲＥの位置のうちＫ個のＲＥの位置にマッピングされ、ここで、Ｎが１８である場合に、Ｋが６であり、Ｎが２０である場合に、Ｋが５であり、Ｎが２８である場合に、Ｋが７であり、
または、Ｎポートのうち各組の８ポートＣＳＩ−ＲＳが２つのグループＣＳＩ−ＲＳに分けられ、グループ毎に４ビットの直交拡散符号の４個のコードワードを用いた多重化が行われ、ここで、１つのグループＣＳＩ−ＲＳが４個のポートに対応するＲＥにマッピングされ、Ｎが２４または３２である請求項９または１０に記載の装置。
【請求項１３】
Ｎポート参照信号パターンのうち１つのＮポートＣＳＩ−ＲＳのマッピング先となるＲＥの位置と、８ポート参照信号パターンのうちＬ組の８ポートＣＳＩ−ＲＳのマッピング先となるＬ×Ｐ個のＲＥの位置とは、同一であり、ここで、Ｎが１８である場合に、Ｐが６または８であり、Ｎが２０である場合に、Ｐが５または８であり、Ｎが２８である場合に、Ｐが７または８であり、Ｎが２４である場合に、Ｐが８であり、Ｎが３２である場合に、Ｐが８である請求項１２に記載の装置。
【請求項１４】
１４個のＯＦＤＭシンボルが含まれるノーマルＣＰサブフレーム、または、１１個または１２個のＯＦＤＭシンボルが含まれるＤｗＰＴＳにおいて、Ｍが４である場合、前記４ポート参照信号パターンに１０組の４ポートＣＳＩ−ＲＳを含み、
そのうち、４組の４ポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
１４個のＯＦＤＭシンボルが含まれるノーマルＣＰサブフレーム、または、１１個または１２個のＯＦＤＭシンボルが含まれるＤｗＰＴＳにおいて、Ｍが８である場合、前記８ポート参照信号パターンに５組の８ポートＣＳＩ−ＲＳを含み、
そのうち、各組の８ポートＣＳＩ−ＲＳに２つのグループＣＳＩ−ＲＳを含み、グループＣＳＩ−ＲＳ毎に４ビットの直交拡散符号の４個のコードワードを用いた多重化が行われ、
そのうち、一方のグループＣＳＩ−ＲＳは、時分割多重化方式で第１〜４ＯＦＤＭシンボルの４個のＲＥにマッピングされ、他方のグループＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルであり、
または、各組の８ポートＣＳＩ−ＲＳは、時分割多重化と周波数分割多重化の組み合わせ方式で第１〜４ＯＦＤＭシンボルの４個のＲＥおよび第５〜６ＯＦＤＭシンボルの４個のＲＥにマッピングされ、
ここで、第１〜４ＯＦＤＭシンボルは、ＤＭＲＳが位置するシンボルである請求項９〜１３のいずれか一項に記載の装置。
【請求項１５】
１４個のＯＦＤＭシンボルが含まれるノーマルＣＰサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである請求項１４に記載の装置。
【請求項１６】
１つの拡張ＣＰサブフレームの１２個のＯＦＤＭシンボルのうち、前記Ｍポート参照信号パターンのうち各組のＭポートＣＳＩ−ＲＳは、時分割多重化と周波数分割多重化の組み合わせ方式で１つのサブフレームの第１個のスロットのうち第５〜６個のＯＦＤＭシンボルおよび当該サブフレームの第２個のスロットのうち第５〜６個のＯＦＤＭシンボルにマッピングされる請求項９〜１４のいずれか一項に記載の装置。
【手続補正２】
【補正対象書類名】明細書
【補正対象項目名】００１４
【補正方法】変更
【補正の内容】
【００１４】
選択可能に、１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが含まれるノーマルＣＰ（Ｃｙｃｌｉｃ  Ｐｒｅｆｉｘ）サブフレーム、または、１１個または１２個のＯＦＤＭシンボルが含まれるＤｗＰＴＳ（Ｄｏｗｎｌｉｎｋ  Ｐｉｌｏｔ  Ｔｉｍｅ  Ｓｌｏｔ）において、Ｍが４である場合、前記４ポート参照信号パターンに１０組の４ポートＣＳＩ−ＲＳを含み、
そのうち、４組の４ポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳ（ＤｅＭｏｄｕｌａｔｉｏｎ  Ｒｅｆｅｒｅｎｃｅ  Ｓｉｇｎａｌ）が位置するシンボルである。
【手続補正３】
【補正対象書類名】明細書
【補正対象項目名】００１６
【補正方法】変更
【補正の内容】
【００１６】
ここで、１４個のＯＦＤＭシンボルが含まれるノーマルＣＰサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである。
【手続補正４】
【補正対象書類名】明細書
【補正対象項目名】００２３
【補正方法】変更
【補正の内容】
【００２３】
選択可能に、１４個のＯＦＤＭシンボルが含まれるノーマルＣＰサブフレーム、または、１１個または１２個のＯＦＤＭシンボルが含まれるＤｗＰＴＳにおいて、Ｍが４である場合、前記４ポート参照信号パターンに１０組の４ポートＣＳＩ−ＲＳを含み、
そのうち、４組の４ポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされ、
ここで、第１〜４ＯＦＤＭシンボルは、ＤＭＲＳが位置するシンボルである。
【手続補正５】
【補正対象書類名】明細書
【補正対象項目名】００２５
【補正方法】変更
【補正の内容】
【００２５】
ここで、１４個のＯＦＤＭシンボルが含まれるノーマルＣＰサブフレームにおいて、前記第１〜４ＯＦＤＭシンボルは、それぞれ、１つのサブフレームの第１個のスロットのうち第６〜７個のＯＦＤＭシンボルおよび当該サブフレームの第２個のスロットのうち第６〜７個のＯＦＤＭシンボルであり、前記第５〜６ＯＦＤＭシンボルは、それぞれ、当該サブフレームの第２個のスロットのうち第３〜４個のＯＦＤＭシンボルであり、
または、１１個または１２個のＯＦＤＭシンボルが含まれるＤｗＰＴＳにおいて、前記第１〜４ＯＦＤＭシンボルは、それぞれ、１つのサブフレームの第１個のスロットのうち第３〜４個のＯＦＤＭシンボルおよび当該サブフレームの第２個のスロットのうち第３〜４個のＯＦＤＭシンボルであり、前記第５〜６ＯＦＤＭシンボルは、それぞれ、当該サブフレームの第１個のスロットのうち第６〜７個のＯＦＤＭシンボルである。
【手続補正６】
【補正対象書類名】明細書
【補正対象項目名】００４６
【補正方法】変更
【補正の内容】
【００４６】
１４個のＯＦＤＭシンボルが含まれるノーマルＣＰサブフレーム、または、１１個または１２個のＯＦＤＭシンボルが含まれるＤｗＰＴＳにおいて、用いられる４ポート参照信号パターンに１０組の４ポートＣＳＩ−ＲＳを含む。そのうち、４組の４ポートＣＳＩ−ＲＳのうち各組の４ポートＣＳＩ−ＲＳは、時分割多重化方式で第１〜４ＯＦＤＭシンボルの４個のＲＥにマッピングされ、残り６組の４ポートＣＳＩ−ＲＳのうち各組の４ポートＣＳＩ−ＲＳは、時分割多重化と周波数分割多重化の組み合わせ方式で第５〜６ＯＦＤＭシンボルの４個のＲＥにマッピングされる。ここで、第１〜４ＯＦＤＭシンボルは、ＤＭＲＳが位置するシンボルである。
【手続補正７】
【補正対象書類名】明細書
【補正対象項目名】００９５
【補正方法】変更
【補正の内容】
【００９５】
図６ｂは、方法３におけるもう一つの３２ポート参照信号パターンを例示的に示す。図６ｂは、スロット１のうちのＯＦＤＭシンボルにおける１つのグループのＲＥ（すなわち８ポート参照信号パターンのうち１つの８ポートＣＳＩ−ＲＳのマッピング先となるＲＥ）の分布が異なるという点で、図６ａとは異なる。図６ｂにおいて、同一アルファベットに対応するＣＳＩ−ＲＳによって１つのＯＣＣ＝８のグループを構成し、１組の８ビット直交拡散符号を用いて多重化を行う。例えば表１に示す方式で多重化を行うことができる。
【手続補正８】
【補正対象書類名】明細書
【補正対象項目名】０１３２
【補正方法】変更
【補正の内容】
【０１３２】
図１１ａは、一つの２０ポート参照信号パターンを例示的に示す。図１１ａでは、各四角形格子で１つのＲＥを示す。２０ポートＣＳＩ−ＲＳのマッピング先となるＲＥのうち、各ＲＥに対応する四角形格子は、アルファベットで標識される。図１１ａに示す２０ポート参照信号パターンにおいて、４組の５ポートＣＳＩ−ＲＳを含む。当該４組の５ポートＣＳＩ−ＲＳのマッピング先となるＲＥは、それぞれＡ〜Ｄと標識される。同一アルファベットに対応するＣＳＩ−ＲＳによって１つのＯＣＣ＝５のグループを構成し、１組の５ビット直交拡散符号を用いて多重化を行う。
【国際調査報告】
2019509688.tif 000048
2019509688.tif 000049
2019509688.tif 000050
2019509688.tif 000051